(57)【要約】  本発明は、エネルギー貯蔵システムの現在位置情報を取得する対象情報取得部（１２）と、エネルギー貯蔵システムごとに対応づけられている設置位置を取得する正規情報取得部（１１）（位置情報取得部）と、エネルギー貯蔵システムの現在位置情報に基づき、エネルギー貯蔵システムが上記設置位置に設置されているか否かを判断する判断部（１３）と、を有する判断装置（１０）を提供する。
2018012082.tif 000002
【特許請求の範囲】
【請求項１】
エネルギー貯蔵システムの現在位置情報を取得する対象情報取得手段と、
前記エネルギー貯蔵システムごとに対応付けられている設置位置を取得する位置情報取得手段と、
前記エネルギー貯蔵システムの前記現在位置情報に基づき、前記エネルギー貯蔵システムが前記設置位置に設置されているか否かを判断する判断手段と、
を有する判断装置。
【請求項２】
請求項１に記載の判断装置において、
前記位置情報取得手段は、複数の前記エネルギー貯蔵システム各々に対応付けて前記設置位置を記憶する正規情報記憶手段、及び、自システムの前記設置位置を記憶する前記エネルギー貯蔵システムから、前記エネルギー貯蔵システムの前記設置位置を取得し、
前記判断手段は、前記現在位置情報、前記正規情報記憶手段から取得された前記設置位置、及び、前記エネルギー貯蔵システムから取得された前記設置位置に基づき、前記エネルギー貯蔵システムが前記設置位置に設置されているか否かを判断する判断装置。
【請求項３】
請求項１又は２に記載の判断装置において、
前記エネルギー貯蔵システムを監視する監視装置に、前記エネルギー貯蔵システムの前記現在位置情報を要求する要求手段をさらに有し、
前記対象情報取得手段は、前記要求に応じて前記監視装置から送信されてきた前記エネルギー貯蔵システムの前記現在位置情報を取得する判断装置。
【請求項４】
請求項３に記載の判断装置において、
前記要求手段は、
予め定められた条件に基づき、前記監視装置に前記要求を送信することを決定する要求決定手段と、
前記要求決定手段の決定に応じて、前記監視装置に前記要求を送信する要求送信手段と、
を有する判断装置。
【請求項５】
請求項４に記載の判断装置において、
前記要求決定手段は、前記エネルギー貯蔵システム、及び／又は、前記監視装置に取り付けられたセンサから取得したセンサ情報に基づき、前記監視装置に前記要求を送信することを決定する判断装置。
【請求項６】
請求項５に記載の判断装置において、
前記要求決定手段は、前記センサ情報に基づき前記エネルギー貯蔵システムに所定レベル以上の振動があったことを検出し、前記検出に応じて、前記監視装置に前記要求を送信することを決定する判断装置。
【請求項７】
請求項５に記載の判断装置において、
前記要求決定手段は、前記センサ情報に基づき前記エネルギー貯蔵システムに備えられた開閉部材が開かれたことを検出し、前記検出に応じて、前記監視装置に前記要求を送信することを決定する判断装置。
【請求項８】
請求項５に記載の判断装置において、
前記要求決定手段は、前記センサ情報に基づき前記エネルギー貯蔵システムが備える複数の構成要素の接続状態が解除されたことを検出し、前記検出に応じて、前記監視装置に前記要求を送信することを決定する判断装置。
【請求項９】
請求項５に記載の判断装置において、
前記要求決定手段は、前記センサ情報に基づき前記エネルギー貯蔵システムと前記監視装置との接続状態が解除されたことを検出し、前記検出に応じて、前記監視装置に前記要求を送信することを決定する判断装置。
【請求項１０】
請求項５に記載の判断装置において、
前記要求決定手段は、前記センサ情報で示される測定値と、前記設置位置で測定された参照値とが所定レベル以上乖離していることを検出し、前記検出に応じて、前記監視装置に前記要求を送信することを決定する判断装置。
【請求項１１】
請求項４に記載の判断装置において、
前記要求決定手段は、前記エネルギー貯蔵システム、及び／又は、前記エネルギー貯蔵システムを監視する監視装置に取り付けられたカメラから取得した画像データに基づき、前記監視装置に前記要求を送信することを決定する判断装置。
【請求項１２】
請求項４に記載の判断装置において、
前記要求決定手段は、予め定められた日時になったことの検出に応じて、前記監視装置に前記要求を送信することを決定する判断装置。
【請求項１３】
請求項４に記載の判断装置において、
前記要求決定手段は、前記エネルギー貯蔵システムのＳＯＣ（State Of Charge）が所定の値になったことの検出に応じて、前記監視装置に前記要求を送信することを決定する判断装置。
【請求項１４】
請求項４に記載の判断装置において、
前記要求決定手段は、前記判断装置からの指示に対する前記エネルギー貯蔵システムの応答時間が以前の前記応答時間から所定レベル以上変化したことの検出に応じて、前記監視装置に前記要求を送信することを決定する判断装置。
【請求項１５】
請求項４に記載の判断装置において、
前記要求決定手段は、前記エネルギー貯蔵システムがエネルギーの貯蔵動作及び放出動作を行ってない待機状態の経過時間が所定値を超えたことの検出に応じて、前記監視装置に前記要求を送信することを決定する判断装置。
【請求項１６】
請求項４に記載の判断装置において、
前記要求決定手段は、前記エネルギー貯蔵システムによる充放電電力の周波数が以前の前記周波数から変化したことの検出に応じて、前記監視装置に前記要求を送信することを決定する判断装置。
【請求項１７】
請求項４に記載の判断装置において、
前記要求決定手段は、自然エネルギーで発電する発電装置の発電電力を充電するように設置された前記エネルギー貯蔵システムの充電電力量と、前記設置位置の気象条件から推測される前記発電装置の発電電力量との間の矛盾の検出に応じて、前記監視装置に前記要求を送信することを決定する判断装置。
【請求項１８】
請求項４に記載の判断装置において、
前記要求決定手段は、前記エネルギー貯蔵システムがエネルギーの貯蔵動作を行う時間帯、及び、エネルギーの放出動作を行う時間帯の傾向が以前の前記傾向から変化したことの検出に応じて、前記監視装置に前記要求を送信することを決定する判断装置。
【請求項１９】
請求項４に記載の判断装置において、
前記要求決定手段は、前記エネルギー貯蔵システムの所定時間内のエネルギーの積算貯蔵量、及び／又は、積算放出量が以前の値から所定レベル以上変化したことの検出に応じて、前記監視装置に前記要求を送信することを決定する判断装置。
【請求項２０】
予め定められた条件に基づき、エネルギー貯蔵システムの現在位置情報を外部装置に送信することを決定する送信決定手段と、
前記送信決定手段の決定に応じて、前記外部装置に前記エネルギー貯蔵システムの前記現在位置情報を送信する通信手段と、
を有する監視装置。
【請求項２１】
請求項２０に記載の監視装置において、
前記送信決定手段は、前記エネルギー貯蔵システム、及び／又は、前記エネルギー貯蔵システムを監視する監視装置に取り付けられたセンサから取得したセンサ情報に基づき、前記外部装置に前記エネルギー貯蔵システムの前記現在位置情報を送信することを決定する監視装置。
【請求項２２】
請求項２１に記載の監視装置において、
前記送信決定手段は、前記センサ情報に基づき前記エネルギー貯蔵システムに所定レベル以上の振動があったことを検出し、前記検出に応じて、前記外部装置に前記現在位置情報を送信することを決定する監視装置。
【請求項２３】
請求項２１に記載の監視装置において、
前記送信決定手段は、前記センサ情報に基づき前記エネルギー貯蔵システムに備えられた開閉部材が開かれたことを検出し、前記検出に応じて、前記外部装置に前記現在位置情報を送信することを決定する監視装置。
【請求項２４】
請求項２１に記載の監視装置において、
前記送信決定手段は、前記センサ情報に基づき前記エネルギー貯蔵システムが備える複数の構成要素の接続状態が解除されたことを検出し、前記検出に応じて、前記外部装置に前記現在位置情報を送信することを決定する監視装置。
【請求項２５】
請求項２１に記載の監視装置において、
前記送信決定手段は、前記センサ情報に基づき前記エネルギー貯蔵システムと前記監視装置との接続状態が解除されたことを検出し、前記検出に応じて、前記外部装置に前記現在位置情報を送信することを決定する監視装置。
【請求項２６】
請求項２１に記載の監視装置において、
前記送信決定手段は、前記センサ情報で示される測定値と、前記エネルギー貯蔵システムごとに対応付けられている設置位置で測定された参照値とが所定レベル以上乖離していることを検出し、前記検出に応じて、前記外部装置に前記現在位置情報を送信することを決定する監視装置。
【請求項２７】
請求項２０に記載の監視装置において、
前記送信決定手段は、前記エネルギー貯蔵システム、及び／又は、前記エネルギー貯蔵システムを監視する監視装置に取り付けられたカメラから取得した画像データに基づき、前記外部装置に前記現在位置情報を送信することを決定する監視装置。
【請求項２８】
請求項２０に記載の監視装置において、
前記送信決定手段は、予め定められた日時になったことの検出に応じて、前記外部装置に前記現在位置情報を送信することを決定する監視装置。
【請求項２９】
請求項２０に記載の監視装置において、
前記送信決定手段は、前記エネルギー貯蔵システムのＳＯＣ（State Of Charge）が所定の値になったことの検出に応じて、前記外部装置に前記現在位置情報を送信することを決定する監視装置。
【請求項３０】
請求項２０に記載の監視装置において、
前記送信決定手段は、前記監視装置からの指示に対する前記エネルギー貯蔵システムの応答時間が以前の前記応答時間から所定レベル以上変化したことの検出に応じて、前記外部装置に前記現在位置情報を送信することを決定する監視装置。
【請求項３１】
請求項２０に記載の監視装置において、
前記送信決定手段は、前記エネルギー貯蔵システムがエネルギーの貯蔵動作及び放出動作を行ってない待機状態の経過時間が所定値を超えたことの検出に応じて、前記外部装置に前記現在位置情報を送信することを決定する監視装置。
【請求項３２】
請求項２０に記載の監視装置において、
前記送信決定手段は、前記エネルギー貯蔵システムによる充放電電力の周波数が以前の前記周波数から変化したことの検出に応じて、前記外部装置に前記現在位置情報を送信することを決定する監視装置。
【請求項３３】
請求項２０に記載の監視装置において、
前記送信決定手段は、自然エネルギーで発電する発電装置の発電電力を充電するように設置された前記エネルギー貯蔵システムの充電電力量と、前記エネルギー貯蔵システムごとに対応付けられている設置位置の気象条件から推測される前記発電装置の発電電力量との間の矛盾の検出に応じて、前記外部装置に前記現在位置情報を送信することを決定する監視装置。
【請求項３４】
請求項２０に記載の監視装置において、
前記送信決定手段は、前記エネルギー貯蔵システムがエネルギーの貯蔵動作を行う時間帯、及び、エネルギーの放出動作を行う時間帯の傾向が以前の前記傾向から変化したことの検出に応じて、前記外部装置に前記現在位置情報を送信することを決定する監視装置。
【請求項３５】
請求項２０に記載の監視装置において、
前記送信決定手段は、前記エネルギー貯蔵システムの所定時間内のエネルギーの積算貯蔵量、及び／又は、積算放出量が以前の値から所定レベル以上変化したことの検出に応じて、前記外部装置に前記現在位置情報を送信することを決定する監視装置。
【請求項３６】
請求項１から１９のいずれか１項に記載の判断装置と、
請求項２０から３５のいずれか１項に記載の監視装置と、
を有する監視システム。
【請求項３７】
請求項３６に記載の監視システムにおいて、
エネルギー貯蔵システムをさらに有する監視システム。
【請求項３８】
コンピュータが、
エネルギー貯蔵システムの現在位置情報を取得する対象情報取得工程と、
前記エネルギー貯蔵システムごとに対応づけられている設置位置を取得する位置情報取得工程と、
前記エネルギー貯蔵システムの前記現在位置情報に基づき、前記エネルギー貯蔵システムが前記設置位置に設置されているか否かを判断する判断工程と、
を実行する判断方法。
【請求項３９】
コンピュータを、
エネルギー貯蔵システムの現在位置情報を取得する対象情報取得手段、
前記エネルギー貯蔵システムごとに対応づけられている設置位置を取得する位置情報取得手段、
前記エネルギー貯蔵システムの前記現在位置情報に基づき、前記エネルギー貯蔵システムが前記設置位置に設置されているか否かを判断する判断手段、
として機能させるプログラム。
【請求項４０】
コンピュータが、
予め定められた条件に基づき、エネルギー貯蔵システムの現在位置情報を外部装置に送信することを決定する送信決定工程と、
前記送信決定工程の決定に応じて、前記外部装置に前記エネルギー貯蔵システムの前記現在位置情報を送信する通信工程と、
を実行する監視方法。
【請求項４１】
コンピュータを、
予め定められた条件に基づき、エネルギー貯蔵システムの現在位置情報を外部装置に送信することを決定する送信決定手段、
前記送信決定手段の決定に応じて、前記外部装置に前記エネルギー貯蔵システムの前記現在位置情報を送信する通信手段、
として機能させるプログラム。
【発明の詳細な説明】
【技術分野】
【０００１】
本発明は、判断装置、監視装置、監視システム、判断方法、監視方法及びプログラムに関する。
【背景技術】
【０００２】
特許文献１には、半導体露光装置とサーバとを有するネットワークシステムが開示されている。半導体露光装置とサーバとの間でのリモートアクセスが開始されると、半導体露光装置は現在位置情報をサーバに送信する。そして、サーバは、受信した現在位置情報と、リモートアクセスを許可すべき設置場所を比較・照合することで、不正なリモートアクセスを検出する。【０００３】
特許文献２には、蓄電装置毎に設置された複数のコントローラから複数の蓄電装置各々の蓄電量の情報を取得し、グループ毎に当該蓄電量の情報を管理するグループ電力管理装置が開示されている。【０００４】
特許文献３には、蓄電装置に関する技術が開示されている。蓄電装置は、蓄電装置の設置位置や動作状況の経過を示したログ情報を、所定のタイミングで外部装置に送信する。所定のタイミングとしては、「１時間、１日、１週間、１カ月等所定の期間が経過する毎」、「蓄電装置の動作モード（蓄電状態、放電状態、停止状態等）が変化する毎」、「不測の事態（予期しない位置情報の変化、バッテリーの故障等）が生じた場合」等が例示されている。
【先行技術文献】
【特許文献】
【０００５】
【特許文献１】特開２００１−３０６５３０号公報
【特許文献２】特開２０１１−１５５７１４号公報
【特許文献３】特開２０１１−２４８６１８号公報
【発明の概要】
【発明が解決しようとする課題】
【０００６】
電力などのエネルギーを貯蔵するエネルギー貯蔵システムは、所定の位置に設置して使用される。特許文献３の技術は、蓄電装置の動作モードに関するログ情報を記録しているが、当該蓄電装置が正規な位置に設置されているか否かを判断することはできないという問題があった。特許文献１の技術は、エネルギー貯蔵システムに関連する技術でない。特許文献２の技術は、蓄電装置が正規な位置に設置されているか否かを判断する手段を提供するものでない。
【課題を解決するための手段】
【０００７】
本発明によれば、
エネルギー貯蔵システムの現在位置情報を取得する対象情報取得手段と、
前記エネルギー貯蔵システムごとに対応付けられている設置位置を取得する位置情報取得手段と、
前記エネルギー貯蔵システムの前記現在位置情報に基づき、前記エネルギー貯蔵システムが前記設置位置に設置されているか否かを判断する判断手段と、
を有する判断装置が提供される。【０００８】
また、本発明によれば、
予め定められた条件に基づき、エネルギー貯蔵システムの現在位置情報を外部装置に送信することを決定する送信決定手段と、
前記送信決定手段の決定に応じて、前記外部装置に前記エネルギー貯蔵システムの前記現在位置情報を送信する通信手段と、
を有する監視装置が提供される。【０００９】
また、本発明よれば、前記判断装置と、前記監視装置と、を有する監視システムが提供される。【００１０】
また、本発明によれば、
コンピュータが、
エネルギー貯蔵システムの現在位置情報を取得する対象情報取得工程と、
前記エネルギー貯蔵システムごとに対応づけられている設置位置を取得する位置情報取得工程と、
前記エネルギー貯蔵システムの前記現在位置情報に基づき、前記エネルギー貯蔵システムが前記設置位置に設置されているか否かを判断する判断工程と、
を実行する判断方法が提供される。【００１１】
また、本発明によれば、
コンピュータを、
エネルギー貯蔵システムの現在位置情報を取得する対象情報取得手段、
前記エネルギー貯蔵システムごとに対応づけられている設置位置を取得する位置情報取得手段、
前記エネルギー貯蔵システムの前記現在位置情報に基づき、前記エネルギー貯蔵システムが前記設置位置に設置されているか否かを判断する判断手段、
として機能させるプログラムが提供される。【００１２】
また、本発明によれば、
コンピュータが、
予め定められた条件に基づき、エネルギー貯蔵システムの現在位置情報を外部装置に送信することを決定する送信決定工程と、
前記送信決定工程の決定に応じて、前記外部装置に前記エネルギー貯蔵システムの前記現在位置情報を送信する通信工程と、
を実行する監視方法が提供される。【００１３】
また、本発明によれば、
コンピュータを、
予め定められた条件に基づき、エネルギー貯蔵システムの現在位置情報を外部装置に送信することを決定する送信決定手段、
前記送信決定手段の決定に応じて、前記外部装置に前記エネルギー貯蔵システムの前記現在位置情報を送信する通信手段、
として機能させるプログラムが提供される。
【発明の効果】
【００１４】
本発明によれば、エネルギー貯蔵システムが正規な位置に設置されているか否かを判断することができる。
【図面の簡単な説明】
【００１５】
上述した目的、およびその他の目的、特徴および利点は、以下に述べる好適な実施の形態、およびそれに付随する以下の図面によってさらに明らかになる。【００１６】
【図１】本実施形態の装置のハードウエア構成の一例を概念的に示す図である。
【図２】本実施形態の監視システムの全体像を示す機能ブロック図の一例である。
【図３】本実施形態のエネルギー貯蔵システムの機能ブロック図の一例である。
【図４】本実施形態の監視装置の機能ブロック図の一例である。
【図５】本実施形態の判断装置の機能ブロック図の一例である。
【図６】本実施形態の監視システムの処理の流れの一例を示すシーケンス図である。
【図７】本実施形態の監視システムの処理の流れの一例を示すシーケンス図である。
【図８】本実施形態の監視システムの処理の流れの一例を示すシーケンス図である。
【図９】本実施形態の判断装置の機能ブロック図の一例である。
【図１０】本実施形態の要求部の機能ブロック図の一例である。
【図１１】本実施形態の監視装置の機能ブロック図の一例である。
【発明を実施するための形態】
【００１７】
まず、本実施形態の装置（判断装置、監視装置、エネルギー貯蔵システム）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１８】
図１は、本実施形態の装置のハードウエア構成を例示するブロック図である。図１に示すように、装置は、プロセッサ１Ａ、メモリ２Ａ、入出力インターフェイス３Ａ、周辺回路４Ａ、バス５Ａを有する。周辺回路４Ａには、様々なモジュールが含まれる。なお、装置は周辺回路４Ａを有さなくてもよい。
【００１９】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２０】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２１】
なお、本明細書において、「取得」とは、自装置が他の装置や記憶媒体に格納されているデータまたは情報を取りに行くこと（能動的な取得）、たとえば、他の装置にリクエストまたは問い合わせして受信すること、他の装置や記憶媒体にアクセスして読み出すこと等、および、自装置に他の装置から出力されるデータまたは情報を入力すること（受動的な取得）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００２２】
＜第１の実施形態＞
エネルギー貯蔵システムが正規な位置に設置されているか否かを、その場所に赴くことなく確認する手段が望まれている。その理由としては、例えば以下のようなものが例示される。
【００２３】
（理由１）
エネルギー貯蔵システムは、使用環境によりその価値が変動する。例えば、故障発生確率が高くなる過酷な環境下（例：高温、多湿等）で使用されるエネルギー貯蔵システムは、その価値が低くなる。
【００２４】
エネルギー貯蔵システムを担保に融資を行ったり、また、エネルギー貯蔵システムを使用する事業に対して融資を行ったりするファイナンスは、エネルギー貯蔵システムの構成（メーカ、製造年月日、型番等）や使用年数等のみならず、今後の設置位置を考慮してその価値を算出し、適切な額の融資を行う必要がある。
【００２５】
このため、融資を行うに際して、融資を受ける側は、エネルギー貯蔵システムの設置位置の申告及びその順守を要求されると考えられる。かかる場合、ファイナンスは、融資後に、エネルギー貯蔵システムが正規な位置（申告した位置）に設置されているか否かを容易に確認することを望む。
【００２６】
（理由２）
エネルギー貯蔵システムは、室外や人の目の届きにくい場所に設置されることが多い。このため、盗難に対して脆弱である。当該問題は、需要家によるエネルギー貯蔵システムの購入や利用の妨げとなり得る。そこで、当該問題を解決する手段が望まれる。
【００２７】
例えば、盗難されたエネルギー貯蔵システムが他の場所で使用されていることを検出できれば、盗難されたエネルギー貯蔵システムを発見し、取り戻すことができる。エネルギー貯蔵システムが正規な位置（正規な需要家が登録した設置位置）に設置されているかを確認する技術により、上記検出が可能となる。
【００２８】
以下、本実施形態の監視システムを説明する。まず、図２を用いて、本実施形態の監視システムの全体像を説明する。図示するように、監視システムは、判断装置１０と、複数の監視装置２０と、複数のエネルギー貯蔵システム３０とを有する。
【００２９】
エネルギー貯蔵システム３０は、電力などのエネルギーを貯蔵及び出力するシステムであり、例えば蓄電システムが該当する。エネルギー貯蔵システム３０は、例えば需要家エリアに設置される。
【００３０】
監視装置２０は、各エネルギー貯蔵システム３０に対応して設置され、対応するエネルギー貯蔵システム３０の動作や状態を監視する。監視装置２０は、例えば需要家エリアに設置される。
【００３１】
対応する監視装置２０及びエネルギー貯蔵システム３０は、任意の手段（通信手段）で互いにデータの送受信を行う。なお、監視装置２０及びエネルギー貯蔵システム３０は、物理的及び／又は論理的に一体となって構成されてもよいし、分かれて構成されてもよい。
【００３２】
判断装置１０は、複数の監視装置２０各々から対応するエネルギー貯蔵システム３０に関する情報を受信する。そして、判断装置１０は、受信した情報に基づき、各エネルギー貯蔵システム３０が正規な設置位置に設置されているか否かを判断する。
【００３３】
判断装置１０は、エネルギー貯蔵システム３０の運転を制御してもよい。すなわち、判断装置１０は、エネルギー貯蔵システム３０の現在位置に基づき、エネルギー貯蔵システム３０の運転を許可するか否かの判断、及び、判断結果の通知を行ってもよい。この場合、エネルギー貯蔵システム３０は、判断装置１０から運転許可を受けた場合に運転可能となり、運転許可を受けていない場合は運転不可となるよう構成される。
【００３４】
判断装置１０は、例えばクラウドサーバであってもよい。判断装置１０と複数の監視装置２０各々は、インターネット等の通信ネットワークを介して互いにデータの送受信を行う。なお、複数のエネルギー貯蔵システム３０各々もインターネット等の通信ネットワークに繋がっていてもよい。
【００３５】
以下、エネルギー貯蔵システム３０、監視装置２０及び判断装置１０の詳細な構成を、この順に説明する。
【００３６】
エネルギー貯蔵システム３０は、電力などのエネルギーを貯蔵するシステム（例：蓄電システム）である。エネルギー貯蔵システム３０は、自システムを識別する識別情報を記憶する手段を有してもよい。
【００３７】
自システムを識別する識別情報は、例えば、自システムを管理する需要家を識別する情報（需要家の名称、住所、電話番号、生年月日等）であってもよい。かかる場合、エネルギー貯蔵システム３０は、上記識別情報の入力を受付ける手段と、受付けた識別情報を自システムの記憶装置に登録する手段とをさらに有してもよい。
【００３８】
その他、自システムを識別する識別情報は、製造メーカにより各エネルギー貯蔵システム３０に付された固有の識別情報であってもよい。当該識別情報は、例えば、数字や文字等の組み合わせで構成される。例えば、エネルギー貯蔵システム３０の出荷段階から、当該識別情報がエネルギー貯蔵システム３０の記憶装置に登録されていてもよい。
【００３９】
また、エネルギー貯蔵システム３０は、自システムの設置位置（正規な設置位置）の入力を受付ける手段と、受付けた設置位置を自システムの記憶装置に登録する手段とを有してもよい。緯度・経度や住所等で、エネルギー貯蔵システム３０の設置位置を登録することができる。
【００４０】
なお、エネルギー貯蔵システム３０は、登録した識別情報や設置位置の内容の変更を、正当な権限を有すると認証したユーザ以外から受付けないようにしてもよい。例えば、エネルギー貯蔵システム３０は、パスワード認証や生体認証等のあらゆる認証手段を用いて、正当な権限を有するユーザを認証することができる。
【００４１】
エネルギー貯蔵システム３０は、上記記憶する情報（識別情報、設置位置等）を対応する監視装置２０に送信する手段を有する。以下、エネルギー貯蔵システム３０が記憶するこれらの情報を「各種登録情報」という場合がある。
【００４２】
エネルギー貯蔵システム３０は、監視装置２０からの要求に応じて、各種登録情報を監視装置２０に送信してもよい。
【００４３】
その他、エネルギー貯蔵システム３０は、各種登録情報を監視装置２０に送信するタイミングを自システムで監視してもよい。そして、エネルギー貯蔵システム３０は、当該タイミングの検出に応じて、各種登録情報を監視装置２０に送信してもよい。
【００４４】
送信するタイミングは、「エネルギー貯蔵システム３０の電源のスイッチがＯＮになったタイミング」、「判断装置１０から運転許可を受けていない状態で、エネルギー貯蔵システム３０を運転させる指示入力を受付けたタイミング」、「運転許可を受けている否に関係なく、エネルギー貯蔵システム３０を運転させる指示入力を受付けたタイミング」、「判断装置１０から運転許可を受けている状態で、予め定められた日時（例：毎月１日０時）が到来したタイミング」等が例示されるがこれらに限定されない。以下の実施形態で、その他のバリエーションを説明する。
【００４５】
ここで、図３を用いて、エネルギー貯蔵システム３０の一例を説明する。図示するエネルギー貯蔵システム３０は、システムコントローラ３１、ＰＣＳ（power conditioning system）３２、エネルギー制御ユニット３３及びエネルギー貯蔵ユニット３４を有する。図中、実線で通信線を示し、点線で電力線を示している。
【００４６】
システムコントローラ３１は、エネルギー貯蔵システム３０の全体を制御する。ＰＣＳ３２は、直流電力／交流電力の変換を行う。エネルギー貯蔵ユニット３４は、エネルギー（例：電力）を貯蔵する。エネルギー貯蔵ユニット３４は、例えば、エネルギーを貯めるセルスタックや、セル温度及び電圧等を監視するバッテリモニタ等を含んで構成されてもよい。エネルギー制御ユニット３３は、エネルギー貯蔵ユニット３４を制御する。エネルギー制御ユニット３３は、いわゆるＢＭＵ（battery management unit）やＢＭＳ（battery management system）等である。
【００４７】
例えば、システムコントローラ３１が、自システムを識別する識別情報を記憶する手段、自システムの設置位置の入力を受付ける手段、受付けた設置位置を自システムの記憶装置に登録する手段、各種登録情報を対応する監視装置２０に送信する手段等を有してもよい。
【００４８】
次に、監視装置２０について説明する。図４に、監視装置２０の機能ブロック図の一例を示す。図示するように、監視装置２０は、取得部２１と、通信部２２とを有する。
【００４９】
取得部２１は、対応するエネルギー貯蔵システム３０から各種登録情報を取得する。例えば、取得部２１は、対応するエネルギー貯蔵システム３０から、当該エネルギー貯蔵システム３０を識別する識別情報を取得してもよい。また、取得部２１は、対応するエネルギー貯蔵システム３０から、当該エネルギー貯蔵システム３０に登録されている設置位置を取得してもよい。
【００５０】
取得部２１は、対応するエネルギー貯蔵システム３０から自発的に送信されてきた各種登録情報を取得してもよい。
【００５１】
その他、取得部２１は、対応するエネルギー貯蔵システム３０に各種登録情報を要求し、当該要求に応じて返信されてきた各種登録情報を取得してもよい。取得部２１は、判断装置１０からの要求に応じて、各種登録情報の要求を対応するエネルギー貯蔵システム３０に送信してもよい。その他、取得部２１は、各種登録情報の要求をエネルギー貯蔵システム３０に送信するタイミングを監視し、当該タイミングの検出に応じて、各種登録情報の要求をエネルギー貯蔵システム３０に送信してもよい。
【００５２】
各種登録情報の要求を送信するタイミングは、「エネルギー貯蔵システム３０の電源のスイッチがＯＮになったタイミング」、「判断装置１０から運転許可を受けていない状態で、エネルギー貯蔵システム３０を運転させる指示入力を受付けたタイミング」、「運転許可を受けている否に関係なく、エネルギー貯蔵システム３０を運転させる指示入力を受付けたタイミング」、「判断装置１０から運転許可を受けている状態で、予め定められた日時（例：毎月１日０時）が到来したタイミング」等が例示されるがこれらに限定されない。以下の実施形態で、その他のバリエーションを説明する。
【００５３】
取得部２１は、上記タイミングを検知するための情報（エネルギー貯蔵システム３０を操作してなされた入力内容を示す情報等）をエネルギー貯蔵システム３０から受信し、当該情報に基づき上記タイミングを検出することができる。
【００５４】
また、取得部２１は、対応するエネルギー貯蔵システム３０の現在位置情報を取得する。監視装置２０及びエネルギー貯蔵システム３０の少なくとも一方は、現在位置情報を取得する位置情報取得手段を備える。そして、取得部２１は、当該位置情報取得手段が取得した現在位置情報を、対応するエネルギー貯蔵システム３０の現在位置情報として取得する。監視装置２０がエネルギー貯蔵システム３０の近くに設置される場合、また、これらが物理的に一体となって構成される場合、監視装置２０が取得した現在位置情報を、エネルギー貯蔵システム３０の現在位置情報として扱うことができる。
【００５５】
現在位置情報を取得する手段は特段制限されない。ＧＰＳ（global positioning system）を利用してもよいし、ＩＰ（internet protocol）アドレスや無線ＬＡＮ（local area network）アクセスポイント等に基づき監視装置２０やエネルギー貯蔵システム３０の現在位置を特定してもよい。
【００５６】
通信部２２は、取得部２１が取得した情報を判断装置１０に送信する。例えば、通信部２２は、取得部２１が取得した対応するエネルギー貯蔵システム３０の現在位置情報を判断装置１０に送信する。また、通信部２２は、取得部２１が取得したエネルギー貯蔵システム３０の各種登録情報（識別情報や設置位置）を判断装置１０に送信してもよい。
【００５７】
次に、判断装置１０について説明する。図５に、判断装置１０の機能ブロック図の一例を示す。図示するように、判断装置１０は、正規情報取得部（位置情報取得部）１１と、対象情報取得部１２と、判断部１３とを有する。
【００５８】
対象情報取得部１２は、エネルギー貯蔵システム３０の現在位置情報を取得する。対象情報取得部１２は、監視装置２０が送信してきた現在位置情報を取得する。
【００５９】
正規情報取得部１１は、エネルギー貯蔵システム３０ごとに対応づけられている設置位置（正規な設置位置）を取得する。正規情報取得部１１は、（１）あらかじめデータベースなどに記憶されている「エネルギー貯蔵システム３０ごとに定められた正規な設置位置」、（２）あらかじめデータベース等に記憶されている「メーカー(システムインテグレーター)がエネルギー貯蔵システム３０の製品ごとに安全基準を満たすと定めた正規な設置位置」、（３）あらかじめデータベース等に記憶されている「エネルギー貯蔵システム３０が認証機関などで安全基準を満たすか試験され、国際安全規格への適合を確認・認証された正規な設置位置」、（４）あらかじめデータベース等に記憶されている「エネルギー貯蔵システム３０が認証機関などで国際安全規格やその他安全規格を満たすことが確認された正規な設置位置」を取得することができる。
【００６０】
例えば、正規情報取得部１１は、「複数のエネルギー貯蔵システム３０各々に対応付けて（複数のエネルギー貯蔵システム３０各々の識別情報に対応付けて）正規な設置位置を記憶する正規情報記憶部」、及び、「エネルギー貯蔵システム３０」の少なくとも一方から、エネルギー貯蔵システム３０の正規な設置位置を取得してもよい。なお、判断装置１０が正規情報記憶部を有してもよいし、判断装置１０と通信可能に構成された外部装置が正規情報記憶部を有してもよい。
【００６１】
正規情報記憶部から取得する場合、正規情報取得部１１は、監視装置２０から送信されてきたエネルギー貯蔵システム３０の識別情報（各種登録情報の一部）を取得する。そして、当該識別情報をキーとして正規情報記憶部を検索し、キーに対応する正規な設置位置を取得する。
【００６２】
エネルギー貯蔵システム３０から取得する場合、正規情報取得部１１は、監視装置２０から送信されてきたエネルギー貯蔵システム３０の設置位置（各種登録情報の一部）を取得する。
【００６３】
正規情報取得部１１及び対象情報取得部１２は、監視装置２０から自発的に送信されてきた各種情報（現在位置情報、各種登録情報等）を取得してもよい。
【００６４】
その他、判断装置１０は、上記各種情報を監視装置２０に要求する要求部をさらに有してもよい。そして、対象情報取得部１２は、上記要求に応じて監視装置２０から返信されてきた上記各種情報を取得してもよい。要求部は、上記各種情報の要求を監視装置２０に送信するタイミングを監視し、当該タイミングの検出に応じて、上記各種情報の要求を監視装置２０に送信してもよい。
【００６５】
上記各種情報の要求を送信するタイミングは、「エネルギー貯蔵システム３０の電源のスイッチがＯＮになったタイミング」、「判断装置１０から運転許可を受けていない状態で、エネルギー貯蔵システム３０を運転させる指示入力を受付けたタイミング」、「運転許可を受けている否に関係なく、エネルギー貯蔵システム３０を運転させる指示入力を受付けたタイミング」、「判断装置１０から運転許可を受けている状態で、予め定められた日時（例：毎月１日０時）が到来したタイミング」等が例示されるがこれらに限定されない。以下の実施形態で、その他のバリエーションを説明する。
【００６６】
要求部は、上記タイミングを検知するための情報（エネルギー貯蔵システム３０を操作してなされた入力内容を示す情報等）をエネルギー貯蔵システム３０から監視装置２０経由で受信し、当該情報に基づき上記タイミングを検出することができる。
【００６７】
判断部１３は、エネルギー貯蔵システム３０の現在位置情報に基づき、エネルギー貯蔵システム３０が正規な設置位置に設置されているか否かを判断する。
【００６８】
例えば、判断部１３は、エネルギー貯蔵システム３０の現在位置情報、及び、正規情報記憶部から取得した正規な設置位置に基づき、上記判断を行うことができる。判断部１３は、エネルギー貯蔵システム３０の現在位置情報及び正規情報記憶部から取得した正規な設置位置が一致する場合、エネルギー貯蔵システム３０が正規な設置位置に設置されていると判断することができる。ここでの一致は、完全一致であってもよいし、さらに、一方が他方を含む関係（例：一方は○○町と広い範囲で示され、他方は緯度経度でそれより狭い範囲で示されている場合などを想定したもの）を含んでもよい。
【００６９】
その他、判断部１３は、エネルギー貯蔵システム３０の現在位置情報、及び、エネルギー貯蔵システム３０から取得した正規な設置位置に基づき、上記判断を行ってもよい。判断部１３は、エネルギー貯蔵システム３０の現在位置情報及びエネルギー貯蔵システム３０から取得した正規な設置位置が一致する場合、エネルギー貯蔵システム３０が正規な設置位置に設置されていると判断することができる。ここでの一致は、完全一致であってもよいし、さらに、一方が他方を含む関係（例：一方は○○町と広い範囲で示され、他方は緯度経度でそれより狭い範囲で示されている場合などを想定したもの）を含んでもよい。
【００７０】
その他、判断部１３は、エネルギー貯蔵システム３０の現在位置情報、正規情報記憶部から取得した正規な設置位置、及び、エネルギー貯蔵システム３０から取得した正規な設置位置に基づき、上記判断を行ってもよい。判断部１３は、エネルギー貯蔵システム３０の現在位置情報、正規情報記憶部から取得した正規な設置位置、及び、エネルギー貯蔵システム３０から取得した正規な設置位置が一致する場合、エネルギー貯蔵システム３０が正規な設置位置に設置されていると判断することができる。ここでの一致は、完全一致であってもよいし、さらに、一方が他方を含む関係（例：一方は○○町と広い範囲で示され、他方は緯度経度でそれより狭い範囲で示されている場合などを想定したもの）を含んでもよい。
【００７１】
なお、判断部１３は、上記判断結果（正規な設置位置に設置されているか否か）に基づき、エネルギー貯蔵システム３０の運転を許可するか否かの判断を行ってもよい。判断部１３は、正規な位置に設置されている場合に運転を許可し、正規な位置に設置されていない場合に運転を許可しない。
【００７２】
判断装置１０は、判断部１３の判断結果を監視装置２０及びエネルギー貯蔵システム３０に送信してもよい。この場合、エネルギー貯蔵システム３０は、判断装置１０から運転許可を受けた場合に運転可能となり、運転許可を受けていない場合は運転不可となるよう構成される。例えば、エネルギー貯蔵システム３０全体を制御する構成要素（例：図３のシステムコントローラ３１）が、判断装置１０から通知される内容（運転許可か否か）に基づき、エネルギー貯蔵システム３０の動作を制御する。
【００７３】
また、判断装置１０は、エネルギー貯蔵システム３０ごとに通知先の電子メールアドレスを登録しておき、上記判断結果を通知先に通知してもよい。
【００７４】
次に、図６のシーケンス図を用いて本実施形態の監視システムの処理の流れの一例を説明する。
【００７５】
「運転を許可されていない場合の処理例」
前準備として、判断装置１０は、エネルギー貯蔵システム３０毎に正規な設置位置を登録する（Ｓ１０）。例えば、判断装置１０のオペレータは、エネルギー貯蔵システム３０の識別情報（上記説明した通り）、及び、正規な設置位置の通知をエネルギー貯蔵システム３０の関係者（所有者、管理者、ファイナンス等）から受付ける。そして、判断装置１０のオペレータは、受付けた内容を判断装置１０の正規情報記憶部に登録する。
【００７６】
また、複数のエネルギー貯蔵システム３０各々は、運転前の前準備として、各種登録情報をエネルギー貯蔵システム３０に登録する（Ｓ１１）。例えば、エネルギー貯蔵システム３０の関係者は、正規な設置位置や識別情報をエネルギー貯蔵システム３０に入力し、登録する。
【００７７】
その後の所定のタイミングで、エネルギー貯蔵システム３０は、自システムの正規な設置位置、及び、識別情報を対応する監視装置２０に送信する（Ｓ１２）。例えば、「エネルギー貯蔵システム３０の電源のスイッチがＯＮになったタイミング」や、「エネルギー貯蔵システム３０を運転させる指示入力を受付けたタイミング」等で、エネルギー貯蔵システム３０は、各種登録情報を監視装置２０に送信する。当該タイミングの検知は、エネルギー貯蔵システム３０が行ってもよいし、監視装置２０が行ってもよいし、判断装置１０が行ってもよい。
【００７８】
また、所定のタイミングで、監視装置２０は、対応するエネルギー貯蔵システム３０の現在位置情報を取得する（Ｓ１３）。監視装置２０は、自装置が有する位置情報取得手段から現在位置情報を取得してもよいし、対応するエネルギー貯蔵システム３０が有する位置情報取得手段から現在位置情報を取得してもよい。例えば、「エネルギー貯蔵システム３０の電源のスイッチがＯＮになったタイミング」や、「エネルギー貯蔵システム３０を運転させる指示入力を受付けたタイミング」等で、監視装置２０は、エネルギー貯蔵システム３０の現在位置情報を取得する。当該タイミングの検知は、エネルギー貯蔵システム３０が行ってもよいし、監視装置２０が行ってもよいし、判断装置１０が行ってもよい。エネルギー貯蔵システム３０が有する位置情報取得手段から現在位置情報を取得する場合、正規な設置位置、識別情報、現在位置を対応する監視装置２０に送信することができる。これらの情報は一度に送信されてもよいし、別々に送信されてもよい。
【００７９】
なお、Ｓ１２及びＳ１３の順番は図示するものに限定されない。
【００８０】
その後、監視装置２０は、エネルギー貯蔵システム３０の正規な設置位置（各種登録情報の一部）、エネルギー貯蔵システム３０の識別情報（各種登録情報の一部）、及び、エネルギー貯蔵システム３０の現在位置情報を判断装置１０に送信する（Ｓ１４）。これらの情報は一度に送信されてもよいし、別々に送信されてもよい。運転許可を受けていない場合、これらの情報が、運転許可の申し込みとともに判断装置１０に送信される。
【００８１】
その後、判断装置１０は、エネルギー貯蔵システム３０の識別情報をキーとして正規情報記憶部を検索し、対応する正規な設置位置を取得する（Ｓ１５）。
【００８２】
そして、判断装置１０は、エネルギー貯蔵システム３０の現在位置情報、正規情報記憶部から取得した正規な設置位置、及び、エネルギー貯蔵システム３０から取得した正規な設置位置に基づき、エネルギー貯蔵システム３０が正規な設置位置に設置されているか否かを判断する（Ｓ１６）。判断装置１０は、エネルギー貯蔵システム３０の現在位置情報、正規情報記憶部から取得した正規な設置位置、及び、エネルギー貯蔵システム３０から取得した正規な設置位置が一致する場合、エネルギー貯蔵システム３０が正規な設置位置に設置されていると判断することができる。ここでの一致は、完全一致であってもよいし、さらに、一方が他方を含む関係（例：一方は○○町と広い範囲で示され、他方は緯度経度でそれより狭い範囲で示されている場合などを想定したもの）を含んでもよい。
【００８３】
さらに、判断装置１０は、上記判断結果（正規な設置位置に設置されているか否か）に基づき、運転許可するか否かを判断してもよい。判断装置１０は、正規な位置に設置されている場合に運転を許可し、正規な位置に設置されていない場合に運転を許可しない。
【００８４】
その後、判断装置１０は、判断結果を監視装置２０に回答する（Ｓ１７）。そして、監視装置２０は、判断結果をエネルギー貯蔵システム３０に回答する（Ｓ１８）。なお、当該回答の中には、運転を許可するか否かの回答が含まれてもよい。
【００８５】
エネルギー貯蔵システム３０は、通知された内容に基づき、自システムを制御する。すなわち、運転を許可する旨の回答を受信した場合、エネルギー貯蔵システム３０は運転可能な状態となる。一方、運転を許可しない旨の回答を受信した場合、エネルギー貯蔵システム３０は運転不可な状態となる。この場合、エネルギー貯蔵システム３０は、運転が許可されなかった旨をユーザに通知してもよい。通知手段は、ディスプレイ、スピーカ、メーラ、プリンター等の出力装置を用いて実現される。
【００８６】
「運転を許可されている場合の処理例」
運転を許可されている場合、図６のＳ１２乃至Ｓ１８が繰り返される。すなわち、エネルギー貯蔵システム３０は、所定のタイミングで、各種登録情報を対応する監視装置２０に送信する（Ｓ１２）。また、監視装置２０は、所定のタイミングで、エネルギー貯蔵システム３０の現在位置情報を取得する（Ｓ１３）。例えば、「予め定められた日時（例：毎月１日０時）が到来したタイミング」や、「エネルギー貯蔵システム３０の電源のスイッチがＯＮになったタイミング」等が例示されるがこれらに限定されない。以下の実施形態で、その他のバリエーションを説明する。当該タイミングの検知は、エネルギー貯蔵システム３０が行ってもよいし、監視装置２０が行ってもよいし、判断装置１０が行ってもよい。
【００８７】
以降、「運転を許可されていない場合の処理例」で説明した処理と同様の処理を繰り返す。なお、エネルギー貯蔵システム３０は、運転を許可する旨の回答を受信した場合（Ｓ１８）、そのまま運転を継続する。一方、運転を許可しない旨の回答を受信した場合（Ｓ１８）、エネルギー貯蔵システム３０は運転を中止する。この場合、エネルギー貯蔵システム３０は、運転が許可されなかった旨をユーザに通知してもよい。
【００８８】
次に、図７のシーケンス図を用いて本実施形態の監視システムの処理の流れの他の一例を説明する。
【００８９】
「運転を許可されていない場合の処理例」
前準備として、判断装置１０は、エネルギー貯蔵システム３０毎に正規な設置位置を登録する（Ｓ２０）。例えば、判断装置１０のオペレータは、エネルギー貯蔵システム３０の識別情報（上記説明した通り）、及び、正規な設置位置の通知をエネルギー貯蔵システム３０の関係者（所有者、管理者、ファイナンス等）から受付ける。そして、判断装置１０のオペレータは、受付けた内容を判断装置１０の正規情報記憶部に登録する。
【００９０】
その後の所定のタイミングで、エネルギー貯蔵システム３０は、自システムの識別情報を対応する監視装置２０に送信する（Ｓ２１）。例えば、「エネルギー貯蔵システム３０の電源のスイッチがＯＮになったタイミング」や、「エネルギー貯蔵システム３０を運転させる指示入力を受付けたタイミング」等で、エネルギー貯蔵システム３０は、自システムの識別情報を監視装置２０に送信する。当該タイミングの検知は、エネルギー貯蔵システム３０が行ってもよいし、監視装置２０が行ってもよいし、判断装置１０が行ってもよい。
【００９１】
また、所定のタイミングで、監視装置２０は、対応するエネルギー貯蔵システム３０の現在位置情報を取得する（Ｓ２２）。監視装置２０は、自装置が有する位置情報取得手段から現在位置情報を取得してもよいし、対応するエネルギー貯蔵システム３０が有する位置情報取得手段から現在位置情報を取得してもよい。例えば、「エネルギー貯蔵システム３０の電源のスイッチがＯＮになったタイミング」や、「エネルギー貯蔵システム３０を運転させる指示入力を受付けたタイミング」等で、監視装置２０は、エネルギー貯蔵システム３０の現在位置情報を取得する。当該タイミングの検知は、エネルギー貯蔵システム３０が行ってもよいし、監視装置２０が行ってもよいし、判断装置１０が行ってもよい。エネルギー貯蔵システム３０が有する位置情報取得手段から現在位置情報を取得する場合、正規な設置位置、識別情報、現在位置を対応する監視装置２０に送信することができる。これらの情報は一度に送信されてもよいし、別々に送信されてもよい。
【００９２】
なお、Ｓ２１及びＳ２２の順番は図示するものに限定されない。
【００９３】
その後、監視装置２０は、エネルギー貯蔵システム３０の識別情報、及び、エネルギー貯蔵システム３０の現在位置情報を判断装置１０に送信する（Ｓ２３）。これらの情報は一度に送信されてもよいし、別々に送信されてもよい。運転許可を受けていない場合、これらの情報が、運転許可の申し込みとともに判断装置１０に送信される。
【００９４】
その後、判断装置１０は、エネルギー貯蔵システム３０の識別情報をキーとして正規情報記憶部を検索し、対応する正規な設置位置を取得する（Ｓ２４）。
【００９５】
そして、判断装置１０は、エネルギー貯蔵システム３０の現在位置情報、及び、正規情報記憶部から取得した正規な設置位置に基づき、エネルギー貯蔵システム３０が正規な設置位置に設置されているか否かを判断する（Ｓ２５）。判断装置１０は、エネルギー貯蔵システム３０の現在位置情報、及び、正規情報記憶部から取得した正規な設置位置が一致する場合、エネルギー貯蔵システム３０が正規な設置位置に設置されていると判断することができる。ここでの一致は、完全一致であってもよいし、さらに、一方が他方を含む関係（例：一方は○○町と広い範囲で示され、他方は緯度経度でそれより狭い範囲で示されている場合などを想定したもの）を含んでもよい。
【００９６】
さらに、判断装置１０は、上記判断結果（正規な設置位置に設置されているか否か）に基づき、運転許可するか否かを判断してもよい。判断装置１０は、正規な位置に設置されている場合に運転を許可し、正規な設置位置に設置されていない場合に運転を許可しない。
【００９７】
その後、判断装置１０は、判断結果を監視装置２０に回答する（Ｓ２６）。そして、監視装置２０は、判断結果をエネルギー貯蔵システム３０に回答する（Ｓ２７）。なお、当該回答の中には、運転を許可するか否かの回答が含まれてもよい。
【００９８】
エネルギー貯蔵システム３０は、通知された内容に基づき、自システムを制御する。すなわち、運転を許可する旨の回答を受信した場合、エネルギー貯蔵システム３０は運転可能な状態となる。一方、運転を許可しない旨の回答を受信した場合、エネルギー貯蔵システム３０は運転不可な状態となる。この場合、エネルギー貯蔵システム３０は、運転が許可されなかった旨をユーザに通知してもよい。通知手段は、ディスプレイ、スピーカ、メーラ、プリンター等の出力装置を用いて実現される。
【００９９】
「運転を許可されている場合の処理例」
運転を許可されている場合、図７のＳ２１乃至Ｓ２７が繰り返される。すなわち、エネルギー貯蔵システム３０は、所定のタイミングで、自システムの識別情報を対応する監視装置２０に送信する（Ｓ２１）。また、監視装置２０は、所定のタイミングで、エネルギー貯蔵システム３０の現在位置情報を取得する（Ｓ２２）。例えば、「予め定められた日時（例：毎月１日０時）が到来したタイミング」や、「エネルギー貯蔵システム３０の電源のスイッチがＯＮになったタイミング」等が例示されるがこれらに限定されない。以下の実施形態で、その他のバリエーションを説明する。当該タイミングの検知は、エネルギー貯蔵システム３０が行ってもよいし、監視装置２０が行ってもよいし、判断装置１０が行ってもよい。
【０１００】
以降、「運転を許可されていない場合の処理例」で説明した処理と同様の処理を繰り返す。なお、エネルギー貯蔵システム３０は、運転を許可する旨の回答を受信した場合（Ｓ２７）、そのまま運転を継続する。一方、運転を許可しない旨の回答を受信した場合（Ｓ２７）、エネルギー貯蔵システム３０は運転を中止する。この場合、エネルギー貯蔵システム３０は、運転が許可されなかった旨をユーザに通知してもよい。
【０１０１】
次に、図８のシーケンス図を用いて本実施形態の監視システムの処理の流れの一例を説明する。
【０１０２】
「運転を許可されていない場合の処理例」
複数のエネルギー貯蔵システム３０各々は、運転前の前準備として、各種登録情報をエネルギー貯蔵システム３０に登録する（Ｓ３０）。例えば、エネルギー貯蔵システム３０の関係者は、正規な設置位置や識別情報をエネルギー貯蔵システム３０に入力し、登録する。
【０１０３】
その後の所定のタイミングで、エネルギー貯蔵システム３０は、自システムの正規な設置位置、及び、識別情報を対応する監視装置２０に送信する（Ｓ３１）。例えば、「エネルギー貯蔵システム３０の電源のスイッチがＯＮになったタイミング」や、「エネルギー貯蔵システム３０を運転させる指示入力を受付けたタイミング」等で、エネルギー貯蔵システム３０は、各種登録情報を監視装置２０に送信する。当該タイミングの検知は、エネルギー貯蔵システム３０が行ってもよいし、監視装置２０が行ってもよいし、判断装置１０が行ってもよい。
【０１０４】
また、所定のタイミングで、監視装置２０は、対応するエネルギー貯蔵システム３０の現在位置情報を取得する（Ｓ３２）。監視装置２０は、自装置が有する位置情報取得手段から現在位置情報を取得してもよいし、対応するエネルギー貯蔵システム３０が有する位置情報取得手段から現在位置情報を取得してもよい。例えば、「エネルギー貯蔵システム３０の電源のスイッチがＯＮになったタイミング」や、「エネルギー貯蔵システム３０を運転させる指示入力を受付けたタイミング」等で、監視装置２０は、エネルギー貯蔵システム３０の現在位置情報を取得する。当該タイミングの検知は、エネルギー貯蔵システム３０が行ってもよいし、監視装置２０が行ってもよいし、判断装置１０が行ってもよい。エネルギー貯蔵システム３０が有する位置情報取得手段から現在位置情報を取得する場合、正規な設置位置、識別情報、現在位置を対応する監視装置２０に送信することができる。これらの情報は一度に送信されてもよいし、別々に送信されてもよい。
【０１０５】
なお、Ｓ３１及びＳ３２の順番は図示するものに限定されない。
【０１０６】
その後、監視装置２０は、エネルギー貯蔵システム３０の正規な設置位置（各種登録情報の一部）、エネルギー貯蔵システム３０の識別情報（各種登録情報の一部）、及び、エネルギー貯蔵システム３０の現在位置情報を判断装置１０に送信する（Ｓ３３）。これらの情報は一度に送信されてもよいし、別々に送信されてもよい。運転許可を受けていない場合、これらの情報が、運転許可の申し込みとともに判断装置１０に送信される。
【０１０７】
その後、判断装置１０は、エネルギー貯蔵システム３０の現在位置情報、及び、エネルギー貯蔵システム３０から取得した正規な設置位置に基づき、エネルギー貯蔵システム３０が正規な設置位置に設置されているか否かを判断する（Ｓ３４）。判断装置１０は、エネルギー貯蔵システム３０の現在位置情報、及び、エネルギー貯蔵システム３０から取得した正規な設置位置が一致する場合、エネルギー貯蔵システム３０が正規な設置位置に設置されていると判断することができる。ここでの一致は、完全一致であってもよいし、さらに、一方が他方を含む関係（例：一方は○○町と広い範囲で示され、他方は緯度経度でそれより狭い範囲で示されている場合などを想定したもの）を含んでもよい。
【０１０８】
さらに、判断装置１０は、上記判断結果（正規な設置位置に設置されているか否か）に基づき、運転許可するか否かを判断してもよい。判断装置１０は、正規な位置に設置されている場合に運転を許可し、正規な設置位置に設置されていない場合に運転を許可しない。
【０１０９】
その後、判断装置１０は、判断結果を監視装置２０に回答する（Ｓ３５）。そして、監視装置２０は、判断結果をエネルギー貯蔵システム３０に回答する（Ｓ３６）。なお、当該回答の中には、運転を許可するか否かの回答が含まれてもよい。
【０１１０】
エネルギー貯蔵システム３０は、通知された内容に基づき、自システムを制御する。すなわち、運転を許可する旨の回答を受信した場合、エネルギー貯蔵システム３０は運転可能な状態となる。一方、運転を許可しない旨の回答を受信した場合、エネルギー貯蔵システム３０は運転不可な状態となる。この場合、エネルギー貯蔵システム３０は、運転が許可されなかった旨をユーザに通知してもよい。通知手段は、ディスプレイ、スピーカ、メーラ、プリンター等の出力装置を用いて実現される。
【０１１１】
「運転を許可されている場合の処理例」
運転を許可されている場合、図８のＳ３１乃至Ｓ３６が繰り返される。すなわち、エネルギー貯蔵システム３０は、所定のタイミングで、各種登録情報を対応する監視装置２０に送信する（Ｓ３１）。また、監視装置２０は、所定のタイミングで、エネルギー貯蔵システム３０の現在位置情報を取得する（Ｓ３２）。例えば、「予め定められた日時（例：毎月１日０時）が到来したタイミング」や、「エネルギー貯蔵システム３０の電源のスイッチがＯＮになったタイミング」等が例示されるがこれらに限定されない。以下の実施形態で、その他のバリエーションを説明する。当該タイミングの検知は、エネルギー貯蔵システム３０が行ってもよいし、監視装置２０が行ってもよいし、判断装置１０が行ってもよい。
【０１１２】
以降、「運転を許可されていない場合の処理例」で説明した処理と同様の処理を繰り返す。なお、エネルギー貯蔵システム３０は、運転を許可する旨の回答を受信した場合（Ｓ３６）、そのまま運転を継続する。一方、運転を許可しない旨の回答を受信した場合（Ｓ３６）、エネルギー貯蔵システム３０は運転を中止する。この場合、エネルギー貯蔵システム３０は、運転が許可されなかった旨をユーザに通知してもよい。
【０１１３】
次に、本実施形態の変形例を説明する。
【０１１４】
本実施形態では、判断装置１０が、「エネルギー貯蔵システム３０の現在位置情報に基づき、エネルギー貯蔵システムが正規な設置位置に設置されているか否かを判断する手段（判断部１３）」を有したが、監視装置２０が当該手段を有してもよい。当該変形例の場合、監視装置２０は、判断結果を判断装置１０に通知する。そして、判断装置１０は、通知された内容に基づき、エネルギー貯蔵システム３０の状態（設置位置・運転許可状態）を管理する。運転許可の判断は、判断装置１０が行ってもよいし、監視装置２０が行ってもよい。
【０１１５】
次に、本実施形態の作用効果を説明する。
【０１１６】
本実施形態の監視システムによれば、判断装置１０は、複数のエネルギー貯蔵システム３０各々に対応して設けられた監視装置２０から取得した情報に基づき、各エネルギー貯蔵システム３０が正規な設置位置に設置されているか否かを判断することができる。当該システムによれば、エネルギー貯蔵システムが正規な位置に設置されているか否かを、その場所に赴くことなく確認することが可能となる。
【０１１７】
また、本実施形態の監視システムによれば、判断装置１０は、運転開始前の所定のタイミング（「エネルギー貯蔵システム３０の電源のスイッチがＯＮになったタイミング」、「エネルギー貯蔵システム３０を運転させる指示入力を受付けたタイミング」等）で、エネルギー貯蔵システム３０が正規な位置に設置されているか否かを確認することができる。このため、正規な位置に設置されていないエネルギー貯蔵システム３０が動作する不都合を未然に抑えることができる。結果、エネルギー貯蔵システム３０の価値の低下や、盗難されたエネルギー貯蔵システム３０が使用される不都合を未然に抑えることができる。
【０１１８】
また、本実施形態の監視システムによれば、判断装置１０は、運転許可を出した後も、定期的に、そのエネルギー貯蔵システム３０が正規な位置に設置されているか否かを繰り返し判断することができる。かかる場合、「一度正規な位置に設置して運転許可を受けた後に、他の位置に移動させる不正行為」や、「正規な位置で使用されているエネルギー貯蔵システム３０を盗み、他の場所で使用する不正行為」が行われた場合、そのエネルギー貯蔵システム３０の運転許可を取り消すことができる。結果、このようなエネルギー貯蔵システム３０が使用される不都合を抑制することができる。
【０１１９】
また、本実施形態の監視システムによれば、エネルギー貯蔵システム３０に登録される各種登録情報（識別情報、正規な設置位置）を用いて、複数のエネルギー貯蔵システム３０を識別することができる。このため、盗難されたエネルギー貯蔵システム３０が所有者不明な状態で発見された場合であっても、登録されている各種登録情報を用いて正規な所有者を特定することができる。
【０１２０】
また、本実施形態の監視システムによれば、エネルギー貯蔵システム３０に登録される各種登録情報（識別情報、正規な設置位置）を用いて、エネルギー貯蔵システム３０が正規な設置位置に設置されているか否かを判断することができる。このため、エネルギー貯蔵システム３０が、各種登録情報の登録手段や監視装置２０への送信手段を有さない安価な他のエネルギー貯蔵システム３０に置き代えられた場合、それを検出することができる。置き代えの例としては、例えば、盗難の発見を遅らせるため、安価なエネルギー貯蔵システム３０に置き代えるものが考えらえる。その他、エネルギー貯蔵システム３０を使用した事業に対して融資を受けたものが、事業計画で示したエネルギー貯蔵システム３０でなく、他の安価なエネルギー貯蔵システム３０を使用する場合が考えられる。
【０１２１】
＜第２の実施形態＞
図９に、本実施形態の判断装置１０の機能ブロック図の一例を示す。図示するように、判断装置１０は、正規情報取得部１１と、対象情報取得部１２と、判断部１３と、要求部１４とを有する。
【０１２２】
要求部１４は、監視装置２０に各種情報（各種登録情報、現在位置情報等）を要求する。正規情報取得部１１及び対象情報取得部１２は、要求部１４の要求に応じて監視装置２０から送信されてきた各種情報を取得する。正規情報取得部１１及び対象情報取得部１２のその他の構成は、第１の実施形態と同様である。また、判断部１３の構成は、第１の実施形態と同様である。
【０１２３】
図１０に、要求部１４の機能ブロック図の一例を示す。図示するように、要求部１４は、要求決定部１４１と、要求送信部１４２とを有する。
【０１２４】
要求決定部１４１は、予め定められた条件に基づき、監視装置２０に上記要求を送信することを決定する。要求送信部１４２は、要求決定部１４１の決定に応じて、監視装置２０に上記要求を送信する。以下、要求を送信することを決定するいくつかの例を説明する。
【０１２５】
「例１」
例１では、監視装置２０及び／又はエネルギー貯蔵システム３０に各種センサが取り付けられる。要求決定部１４１は、需要家側に設置された所定の端末を経由して、各種センサのセンサ情報を取得する。そして、要求決定部１４１は、当該センサ情報に基づき、監視装置２０に要求を送信することを決定する。上記所定の端末は、監視装置２０やエネルギー貯蔵システム３０であってもよいし、その他であってもよい。
【０１２６】
なお、各種センサは、監視装置２０やエネルギー貯蔵システム３０の電源とは別の電源を備え、監視装置２０やエネルギー貯蔵システム３０の電源のスイッチがＯＦＦになった場合も、センシング、及び、センサ情報の送信を継続するよう構成されてもよい。
【０１２７】
「例１−１」
当該例では、要求決定部１４１は、振動センサから取得したセンサ情報に基づき、エネルギー貯蔵システム３０に所定レベル以上の振動があったことを検出する。そして、要求決定部１４１は、当該検出に応じて、監視装置２０に上記要求を送信することを決定する。
【０１２８】
エネルギー貯蔵システム３０を他の場所に移動させる場合、様々な場面（例：持ち去る場面、移動中、新たな場所に設置する場面等）で、エネルギー貯蔵システム３０に所定レベル以上の振動が発生すると考えられる。当該検出に応じて、エネルギー貯蔵システム３０の設置位置が正規か否かを確認することで、盗難や不正な移動等を早期に検出することができる。
【０１２９】
なお、移動中は、監視装置２０やエネルギー貯蔵システム３０の電源スイッチがＯＦＦになっていることが想定される。この場合、判断装置１０は、監視装置２０やエネルギー貯蔵システム３０と通信できない。そこで、判断装置１０は、所定レベル以上の振動を検出すると、その後、監視装置２０と通信可能になったタイミングで、上記要求を送信してもよい。
【０１３０】
「例１−２」
当該例では、要求決定部１４１は、センサ情報に基づき、エネルギー貯蔵システム３０に備えられた開閉部材が開かれたことを検出する。そして、要求決定部１４１は、当該検出に応じて、監視装置２０に上記要求を送信することを決定する。
【０１３１】
開閉部材は、例えば、エネルギー貯蔵システム３０の構成部品が収納された空間と外部空間とを仕切る部材であってもよい。盗難されたエネルギー貯蔵システム３０は、不正な改造（例：エネルギー貯蔵ユニット３４等の一部構成要素を安価品に置き代える）がなされた後、市場に出回ったり、使用されたりする可能性がある。このような不正な改造を行う際、開閉部材が開かれる。当該検出に応じて、エネルギー貯蔵システム３０の設置位置が正規か否かを確認することで、盗難や不正な移動等を早期に検出することができる。
【０１３２】
なお、改造中は、監視装置２０やエネルギー貯蔵システム３０の電源スイッチがＯＦＦになっていることが想定される。この場合、判断装置１０は、監視装置２０やエネルギー貯蔵システム３０と通信できない。そこで、判断装置１０は、開閉部材が開かれたことを検出すると、その後、監視装置２０と通信可能になったタイミングで、上記要求を送信してもよい。
【０１３３】
なお、開閉部材が開かれたことを検出するセンサは、磁気センサ等が例示されるが、これに限定されない。
【０１３４】
「例１−３」
当該例では、要求決定部１４１は、センサ情報に基づき、エネルギー貯蔵システム３０が備える複数の構成要素（図３のシステムコントローラ３１、ＰＣＳ３２、エネルギー制御ユニット３３及びエネルギー貯蔵ユニット３４等）の接続状態（例：通信線や電力線の接続状態）が解除されたことを検出する。そして、当該検出に応じて、監視装置２０に上記要求を送信することを決定する。
【０１３５】
盗難されたエネルギー貯蔵システム３０は、不正な改造（例：エネルギー貯蔵ユニット３４等の一部構成要素を安価品に置き代える）がなされた後、市場に出回ったり、使用されたりする可能性がある。このような不正な改造を行う際、複数の構成要素の接続状態が解除される。当該検出に応じて、エネルギー貯蔵システム３０の設置位置が正規か否かを確認することで、盗難や不正な移動等を早期に検出することができる。
【０１３６】
なお、改造中は、監視装置２０やエネルギー貯蔵システム３０の電源スイッチがＯＦＦになっていることが想定される。この場合、判断装置１０は、監視装置２０やエネルギー貯蔵システム３０と通信できない。そこで、判断装置１０は、構成要素の接続状態が解除されたことを検出すると、その後、監視装置２０と通信可能になったタイミングで、上記要求を送信してもよい。
【０１３７】
なお、複数の構成要素の接続状態が解除されたことを検出するセンサは、磁気センサ（例：複数の構成要素が所定レベル以上離れたことを検出）等が例示されるが、これに限定されない。
【０１３８】
「例１−４」
当該例では、要求決定部１４１は、センサ情報に基づき、エネルギー貯蔵システム３０と監視装置２０の接続状態（例：通信線の接続状態）が解除されたことを検出する。そして、当該検出に応じて、監視装置２０に上記要求を送信することを決定する。
【０１３９】
監視装置２０とエネルギー貯蔵システム３０とが物理的に分かれて構成されており、かつ、エネルギー貯蔵システム３０のみを移動する場合、監視装置２０とエネルギー貯蔵システム３０との接続状態が解除される。また、両方を移動する場合であっても、作業性などを考慮して別々に移動させるため、これらの接続状態が解除される場合がある。当該検出に応じて、エネルギー貯蔵システム３０の設置位置が正規か否かを確認することで、盗難や不正な移動等を早期に検出することができる。
【０１４０】
なお、移動中は、監視装置２０やエネルギー貯蔵システム３０の電源スイッチがＯＦＦになっていることが想定される。この場合、判断装置１０は、監視装置２０やエネルギー貯蔵システム３０と通信できない。そこで、判断装置１０は、監視装置２０とエネルギー貯蔵システム３０の接続状態が解除されたことを検出すると、その後、監視装置２０と通信可能になったタイミングで、上記要求を送信してもよい。
【０１４１】
なお、監視装置２０とエネルギー貯蔵システム３０の接続状態が解除されたことを検出するセンサは、磁気センサ（例：監視装置２０及びエネルギー貯蔵システム３０が所定レベル以上離れたことを検出、監視装置２０及び／又はエネルギー貯蔵システム３０と通信線の端子（監視装置２０及びエネルギー貯蔵システム３０を結ぶ通信線の端子と）とが所定レベル以上離れたことを検出）等が例示されるが、これに限定されない。
【０１４２】
「例１−５」
当該例では、要求決定部１４１は、センサ情報で示される測定値と、エネルギー貯蔵システム３０に対応して登録されている正規な設置位置で測定された参照値とが所定レベル以上乖離していることを検出する。そして、当該検出に応じて、監視装置２０に上記要求を送信することを決定する。測定値は、例えば、気温、湿度等の環境データが考えられる。参照値は、気象庁等が公表している値であってもよいし、その他であってもよい。
【０１４３】
センサ情報で示される測定値と参照値とが所定レベル以上乖離している場合、エネルギー貯蔵システム３０が正規な設置位置に設置されていない可能性がある。当該検出に応じて、エネルギー貯蔵システム３０の設置位置が正規か否かを確認することで、正規な設置位置と異なる位置に設置されていることを早期に検出することができる。
【０１４４】
「例２」
例２では、監視装置２０及び／又はエネルギー貯蔵システム３０にカメラが取り付けられる。要求決定部１４１は、需要家側に設置された所定の端末を経由して、カメラが撮影した画像データ（外部環境の画像データ）を取得する。そして、要求決定部１４１は、画像データに基づき、監視装置２０に要求を送信することを決定する。上記所定の端末は、監視装置２０やエネルギー貯蔵システム３０であってもよいし、その他であってもよい。
【０１４５】
例えば、カメラは、所定時間毎（例：１日毎、１週間毎、１０日毎、１カ月毎）に静止画像を撮像してもよいし、連続的に動画像を撮像してもよい。要求決定部１４１は、これらの画像データを解析し、エネルギー貯蔵システム３０が移動したことを検出する。そして、当該検出に応じて、監視装置２０に上記要求を送信することを決定する。
【０１４６】
例えば、過去に撮影されたフレームの画像と最新のフレームの画像との間の差分が所定レベル以上である場合、要求決定部１４１は、エネルギー貯蔵システム３０が移動したと判断してもよい。
【０１４７】
当該検出に応じて、エネルギー貯蔵システム３０の設置位置が正規か否かを確認することで、盗難や不正な移動等を早期に検出することができる。
【０１４８】
「例３」
例３では、要求決定部１４１は、予め定められた日時（例：毎日０時、月曜日の０時、各月の１日の０時等）になったことの検出に応じて、監視装置２０に上記要求を送信することを決定する。なお、要求決定部１４１は、運転を許可しているエネルギー貯蔵システム３０に対応する監視装置２０に、当該タイミングで上記要求を送信してもよい。
【０１４９】
定期的にエネルギー貯蔵システム３０の設置位置が正規か否かを確認することで、盗難や不正な移動等を早期に検出することができる。
【０１５０】
「例４」
例４では、要求決定部１４１は、エネルギー貯蔵システム３０の現在のＳＯＣ（State Of Charge）の値を、エネルギー貯蔵システム３０から監視装置２０を介して取得する。そして、要求決定部１４１は、ＳＯＣが所定の値（所定の数値範囲に含まれる値）になったことの検出に応じて、監視装置２０に上記要求を送信することを決定する。
【０１５１】
エネルギー貯蔵システム３０を移動させる場合には、エネルギー貯蔵システム３０のＳＯＣを移動に適した安全な数値範囲内に調整すると考えられる。移動に適した安全な数値範囲は、エネルギー貯蔵システム３０の構成、製造メーカ、蓄電池の材料の種類、製品の型番等によって異なる。
【０１５２】
当該検出に応じて、エネルギー貯蔵システム３０の設置位置が正規か否かを確認することで、盗難や不正な移動等を早期に検出することができる。
【０１５３】
「例５」
例５では、要求決定部１４１は、判断装置１０からの指示に対するエネルギー貯蔵システム３０の応答時間を取得する。そして、応答時間が以前の値から変化すると、要求決定部１４１は、監視装置２０に上記要求を送信することを決定する。判断装置１０からエネルギー貯蔵システム３０への指示の送信、及び、エネルギー貯蔵システム３０から判断装置１０への応答データの送信は、監視装置２０を経由して行われてもよい。
【０１５４】
指示の内容は特段制限されず、例えば、時間軸に沿って充電電力値［Ｗ］又は放電電力値［Ｗ］を定めた充放電パターンでの充放電指示であってもよい。この場合、応答データは、エネルギー貯蔵システム３０の充電電力［Ｗ］や放電電力［Ｗ］の実測データである。例えば、エネルギー貯蔵システム３０に備えられた測定センサが当該実測データを測定する。そして、当該実測データが要求決定部１４１に送信される。応答時間は、例えば、指示送信タイミングから、充放電パターンが測定されたタイミングまでの時間である。
【０１５５】
盗難されたエネルギー貯蔵システム３０は、不正な改造（例：エネルギー貯蔵ユニット３４等の一部構成要素を安価品に置き代える）がなされた後、市場に出回ったり、使用されたりする可能性がある。このような不正な改造を行うことでエネルギー貯蔵システム３０の性能が変化し、応答時間が以前のものから変化する可能性がある。当該検出に応じて、エネルギー貯蔵システム３０の設置位置が正規か否かを確認することで、盗難や不正な移動等を早期に検出することができる。
【０１５６】
「例６」
例６では、要求決定部１４１は、エネルギー貯蔵システム３０がエネルギーの貯蔵動作（例：充電動作）及び放出動作（例：放電動作）を行ってない待機状態の経過時間を、監視装置２０から取得する。そして、要求決定部１４１は、当該経過時間が所定値を超えたことの検出に応じて、監視装置２０に上記要求を送信することを決定する。
【０１５７】
移動中は、エネルギー貯蔵システム３０はエネルギーの貯蔵動作及び放出動作を行わない待機状態である可能性が高い。待機状態が所定値を超えた場合、エネルギー貯蔵システム３０は移動している可能性が高まる。当該検出に応じて、エネルギー貯蔵システム３０の設置位置が正規か否かを確認することで、盗難や不正な移動等を早期に検出することができる。
【０１５８】
「例７」
例７では、要求決定部１４１は、エネルギー貯蔵システム３０による充放電電力の周波数を、エネルギー貯蔵システム３０から監視装置２０を介して取得する。そして、要求決定部１４１は、以前の周波数から変化したことの検出に応じて、監視装置２０に要求を送信することを決定する。日本では、西日本と東日本とで商用電源の周波数が異なる。当該検出に応じて、エネルギー貯蔵システム３０の設置位置が正規か否かを確認することで、盗難や不正な移動等で西日本と東日本とを跨ぐ移動がなされた場合、それを早期に検出することができる。
【０１５９】
「例８」
例８では、要求決定部１４１は、自然エネルギー（例：太陽光、風力、地熱等）で発電する発電装置の発電電力を充電するように設置されたエネルギー貯蔵システム３０の充電電力量を、エネルギー貯蔵システム３０から監視装置２０を介して取得する。また、要求決定部１４１は、当該エネルギー貯蔵システム３０の正規な設置位置の気象条件から推測される発電装置の発電電力量を取得する。気象条件の取得方法及び気象条件から上記発電装置の発電電力を予測する手段は特段制限されず、あらゆる技術を採用できる。
【０１６０】
そして、要求決定部１４１は、上記エネルギー貯蔵システム３０の充電電力量と、上記推測値との間の矛盾の検出に応じて、監視装置２０に要求を送信することを決定する。
【０１６１】
どのような状態を上記矛盾として検出するかは設計的事項であるが、一例を説明する。例えば、気象条件によれば昼間の所定時間帯で所定値以上の発電電力量［Ｗｈ］が予測される一方、当該時間帯に全く充電が行われていない場合が考えられる。このような状態においては、エネルギー貯蔵システム３０に発電装置が併設されているという設置環境が変化している可能性がある。すなわち、エネルギー貯蔵システム３０が移動された可能性がある。なお、このような状態が所定レベル以上の割合（例：１週間に５日以上）で発生した場合、矛盾と検出してもよい。
【０１６２】
当該検出に応じて、エネルギー貯蔵システム３０の設置位置が正規か否かを確認することで、盗難や不正な移動等を早期に検出することができる。
【０１６３】
「例９」
例９では、要求決定部１４１は、エネルギー貯蔵システム３０がエネルギーの貯蔵動作（例：充電動作）を行う時間帯、及び、エネルギーの放出動作（例：放電動作）を行う時間帯を示す情報を、エネルギー貯蔵システム３０から監視装置２０を介して取得する。そして、要求決定部１４１は、当該傾向が以前の傾向から変化したことの検出に応じて、監視装置２０に上記要求を送信することを決定する。
【０１６４】
エネルギー貯蔵システム３０は、例えば、エネルギー単価の安い夜間に貯蔵動作を行い、エネルギー単価の高い昼間に放出動作を行う場合がある。上記発電装置の発電電力を充電するように設置されていないエネルギー貯蔵システム３０（発電装置が併設されていないエネルギー貯蔵システム３０）においては、上記動作の傾向が顕著に現れる。一方で、上記発電装置の発電電力を充電するように設置されているエネルギー貯蔵システム３０（発電装置が併設されているエネルギー貯蔵システム３０）においては、昼間に発電装置の発電電力を充電する場合がある。このように、発電装置が併設されているか否かの違いに応じて、エネルギーの貯蔵動作を行う時間帯、及び、エネルギーの放出動作を行う時間帯の傾向が異なる。
【０１６５】
当該傾向が以前のものから変化した場合には、「発電装置が併設されているか否か」が変化した可能性がある。そして、エネルギー貯蔵システム３０が移動された可能性がある。
【０１６６】
当該検出（例：昼間充電の有無の変化の検出）に応じて、エネルギー貯蔵システム３０の設置位置が正規か否かを確認することで、盗難や不正な移動等を早期に検出することができる。
【０１６７】
なお、蓄電システムはＰＶ（Photovoltaics）とセットで販売されることがあり、この場合、蓄電システムは単体で販売されるよりも安く購入することが可能である。そこでＰＶとセットで販売された、つまり昼間充電するはずの蓄電システムが、夜間充電・昼間放電というＰＶを伴わない充放電動作をしていること検知することで、不正に蓄電システムがＰＶと切り離して移動されたかどうかを認識することができる。
【０１６８】
「例１０」
例１０では、要求決定部１４１は、エネルギー貯蔵システム３０のエネルギーの貯蔵量、放出量、充電又は放電に関する積算量［Ｗｈ］（連続的な量だけでなく、途中で充電から放電に切り替わった場合の積算も含む）、充電又は放電に関する積算時間、及び、充放電に関するサイクル回数の中の少なくとも１つを、エネルギー貯蔵システム３０から監視装置２０を介して取得する。一例として、所定時間（例：１０分、１時間）連続的に貯蔵動作又は放出動作を行った場合の積算量を取得することが考えられる。そして、要求決定部１４１は、以前の値から所定レベル以上変化したことの検出に応じて、監視装置２０に上記要求を送信することを決定する。
【０１６９】
盗難されたエネルギー貯蔵システム３０は、不正な改造（例：エネルギー貯蔵ユニット３４等の一部構成要素を安価品に置き代える）がなされた後、市場に出回ったり、使用されたりする可能性がある。このような不正な改造を行うことでエネルギー貯蔵システム３０の性能が変化し、上記取得値が以前のものから変化する可能性がある。例えば、エネルギー放出動作のスピード（例：放電速度）やエネルギー貯蔵動作のスピード（例：充電速度）が以前のものから変化する可能性がある。当該検出に応じて、エネルギー貯蔵システム３０の設置位置が正規か否かを確認することで、盗難や不正な移動等を早期に検出することができる。
【０１７０】
なお、監視装置２０及びエネルギー貯蔵システム３０の構成は、第１の実施形態と同様である。
【０１７１】
以上説明した本実施形態によれば、第１の実施形態と同様な作用効果を実現できる。また、本実施形態によれば、様々な適切なタイミングでエネルギー貯蔵システム３０の設置位置が正規か否かを確認し、盗難や不正な移動等を早期に検出することができる。
【０１７２】
＜第３の実施形態＞
図１１に、本実施形態の監視装置２０の機能ブロック図の一例を示す。図示するように、監視装置２０、取得部２１と、通信部２２と、送信決定部２３とを有する。
【０１７３】
送信決定部２３は、予め定められた条件に基づき、エネルギー貯蔵システム３０の現在位置情報や、その他の情報（識別情報、正規な設置位置等）を外部装置（判断装置１０）に送信することを決定する。
【０１７４】
送信決定部２３は、第２の実施形態で説明した要求決定部１４１と同様にして、上記情報を外部装置に送信することを決定する。すなわち、送信決定部２３は、第２の実施形態で説明した要求決定部１４１と同様のデータ（例えば、例１乃至１０で説明したデータ）を取得し、同様の判断（例えば、例１乃至１０で説明した判断）を行い、「要求決定部１４１が上記要求を監視装置２０に送信すると決定したタイミング（例えば、例１乃至１０で説明したタイミング）」と同じタイミングで、エネルギー貯蔵システム３０の現在位置情報や、その他の情報（識別情報、正規な設置位置等）を外部装置（判断装置１０）に送信すると決定する。
【０１７５】
取得部２１は、送信決定部２３による当該決定に応じて、対応するエネルギー貯蔵システム３０に各種登録情報を要求し、取得する。また、取得部２１は、当該決定に応じて、対応するエネルギー貯蔵システム３０の現在位置情報を取得する。そして、通信部２２は、取得部２１により取得された上述のような情報を判断装置１０に送信する。取得部２１及び通信部２２のその他の構成は、第１の実施形態と同様である。
【０１７６】
なお、本実施形態の変形例として、監視装置２０に代えて、エネルギー貯蔵システム３０が送信決定部２３を有してもよい。そして、送信決定部２３がエネルギー貯蔵システム３０の現在位置情報や、その他の情報（識別情報、正規な設置位置等）を外部装置（判断装置１０）に送信すると決定すると、エネルギー貯蔵システム３０は、各種登録情報を監視装置２０に送信してもよい。また、エネルギー貯蔵システム３０は、さらに現在位置情報を監視装置２０に送信してもよい。
【０１７７】
以上説明した本実施形態によれば、第１の実施形態と同様な作用効果を実現できる。また、本実施形態によれば、様々な適切なタイミングでエネルギー貯蔵システム３０の設置位置が正規か否かを確認し、盗難や不正な移動等を早期に検出することができる。
【０１７８】
以下、参考形態の例を付記する。
１．  エネルギー貯蔵システムの現在位置情報を取得する対象情報取得手段と、
前記エネルギー貯蔵システムごとに対応付けられている設置位置を取得する位置情報取得手段と、
前記エネルギー貯蔵システムの前記現在位置情報に基づき、前記エネルギー貯蔵システムが前記設置位置に設置されているか否かを判断する判断手段と、
を有する判断装置。
２．  １に記載の判断装置において、
前記位置情報取得手段は、複数の前記エネルギー貯蔵システム各々に対応付けて前記設置位置を記憶する正規情報記憶手段、及び、自システムの前記設置位置を記憶する前記エネルギー貯蔵システムから、前記エネルギー貯蔵システムの前記設置位置を取得し、
前記判断手段は、前記現在位置情報、前記正規情報記憶手段から取得された前記設置位置、及び、前記エネルギー貯蔵システムから取得された前記設置位置に基づき、前記エネルギー貯蔵システムが前記設置位置に設置されているか否かを判断する判断装置。
３．  １又は２に記載の判断装置において、
前記エネルギー貯蔵システムを監視する監視装置に、前記エネルギー貯蔵システムの前記現在位置情報を要求する要求手段をさらに有し、
前記対象情報取得手段は、前記要求に応じて前記監視装置から送信されてきた前記エネルギー貯蔵システムの前記現在位置情報を取得する判断装置。
４．  ３に記載の判断装置において、
前記要求手段は、
予め定められた条件に基づき、前記監視装置に前記要求を送信することを決定する要求決定手段と、
前記要求決定手段の決定に応じて、前記監視装置に前記要求を送信する要求送信手段と、
を有する判断装置。
５．  ４に記載の判断装置において、
前記要求決定手段は、前記エネルギー貯蔵システム、及び／又は、前記監視装置に取り付けられたセンサから取得したセンサ情報に基づき、前記監視装置に前記要求を送信することを決定する判断装置。
６．  ５に記載の判断装置において、
前記要求決定手段は、前記センサ情報に基づき前記エネルギー貯蔵システムに所定レベル以上の振動があったことを検出し、前記検出に応じて、前記監視装置に前記要求を送信することを決定する判断装置。
７．  ５に記載の判断装置において、
前記要求決定手段は、前記センサ情報に基づき前記エネルギー貯蔵システムに備えられた開閉部材が開かれたことを検出し、前記検出に応じて、前記監視装置に前記要求を送信することを決定する判断装置。
８．  ５に記載の判断装置において、
前記要求決定手段は、前記センサ情報に基づき前記エネルギー貯蔵システムが備える複数の構成要素の接続状態が解除されたことを検出し、前記検出に応じて、前記監視装置に前記要求を送信することを決定する判断装置。
９．  ５に記載の判断装置において、
前記要求決定手段は、前記センサ情報に基づき前記エネルギー貯蔵システムと前記監視装置との接続状態が解除されたことを検出し、前記検出に応じて、前記監視装置に前記要求を送信することを決定する判断装置。
１０．  ５に記載の判断装置において、
前記要求決定手段は、前記センサ情報で示される測定値と、前記設置位置で測定された参照値とが所定レベル以上乖離していることを検出し、前記検出に応じて、前記監視装置に前記要求を送信することを決定する判断装置。
１１．  ４に記載の判断装置において、
前記要求決定手段は、前記エネルギー貯蔵システム、及び／又は、前記エネルギー貯蔵システムを監視する監視装置に取り付けられたカメラから取得した画像データに基づき、前記監視装置に前記要求を送信することを決定する判断装置。
１２．  ４に記載の判断装置において、
前記要求決定手段は、予め定められた日時になったことの検出に応じて、前記監視装置に前記要求を送信することを決定する判断装置。
１３．  ４に記載の判断装置において、
前記要求決定手段は、前記エネルギー貯蔵システムのＳＯＣ（State Of Charge）が所定の値になったことの検出に応じて、前記監視装置に前記要求を送信することを決定する判断装置。
１４．  ４に記載の判断装置において、
前記要求決定手段は、前記判断装置からの指示に対する前記エネルギー貯蔵システムの応答時間が以前の前記応答時間から所定レベル以上変化したことの検出に応じて、前記監視装置に前記要求を送信することを決定する判断装置。
１５．  ４に記載の判断装置において、
前記要求決定手段は、前記エネルギー貯蔵システムがエネルギーの貯蔵動作及び放出動作を行ってない待機状態の経過時間が所定値を超えたことの検出に応じて、前記監視装置に前記要求を送信することを決定する判断装置。
１６．  ４に記載の判断装置において、
前記要求決定手段は、前記エネルギー貯蔵システムによる充放電電力の周波数が以前の前記周波数から変化したことの検出に応じて、前記監視装置に前記要求を送信することを決定する判断装置。
１７．  ４に記載の判断装置において、
前記要求決定手段は、自然エネルギーで発電する発電装置の発電電力を充電するように設置された前記エネルギー貯蔵システムの充電電力量と、前記設置位置の気象条件から推測される前記発電装置の発電電力量との間の矛盾の検出に応じて、前記監視装置に前記要求を送信することを決定する判断装置。
１８．  ４に記載の判断装置において、
前記要求決定手段は、前記エネルギー貯蔵システムがエネルギーの貯蔵動作を行う時間帯、及び、エネルギーの放出動作を行う時間帯の傾向が以前の前記傾向から変化したことの検出に応じて、前記監視装置に前記要求を送信することを決定する判断装置。
１９．  ４に記載の判断装置において、
前記要求決定手段は、前記エネルギー貯蔵システムのエネルギーの貯蔵量、及び／又は、放出量が以前の値から所定レベル以上変化したことの検出に応じて、前記監視装置に前記要求を送信することを決定する判断装置。
２０．  予め定められた条件に基づき、エネルギー貯蔵システムの現在位置情報を外部装置に送信することを決定する送信決定手段と、
前記送信決定手段の決定に応じて、前記外部装置に前記エネルギー貯蔵システムの前記現在位置情報を送信する通信手段と、
を有する監視装置。
２１．  ２０に記載の監視装置において、
前記送信決定手段は、前記エネルギー貯蔵システム、及び／又は、前記エネルギー貯蔵システムを監視する監視装置に取り付けられたセンサから取得したセンサ情報に基づき、前記外部装置に前記エネルギー貯蔵システムの前記現在位置情報を送信することを決定する監視装置。
２２．  ２１に記載の監視装置において、
前記送信決定手段は、前記センサ情報に基づき前記エネルギー貯蔵システムに所定レベル以上の振動があったことを検出し、前記検出に応じて、前記外部装置に前記現在位置情報を送信することを決定する監視装置。
２３．  ２１に記載の監視装置において、
前記送信決定手段は、前記センサ情報に基づき前記エネルギー貯蔵システムに備えられた開閉部材が開かれたことを検出し、前記検出に応じて、前記外部装置に前記現在位置情報を送信することを決定する監視装置。
２４．  ２１に記載の監視装置において、
前記送信決定手段は、前記センサ情報に基づき前記エネルギー貯蔵システムが備える複数の構成要素の接続状態が解除されたことを検出し、前記検出に応じて、前記外部装置に前記現在位置情報を送信することを決定する監視装置。
２５．  ２１に記載の監視装置において、
前記送信決定手段は、前記センサ情報に基づき前記エネルギー貯蔵システムと前記監視装置との接続状態が解除されたことを検出し、前記検出に応じて、前記外部装置に前記現在位置情報を送信することを決定する監視装置。
２６．  ２１に記載の監視装置において、
前記送信決定手段は、前記センサ情報で示される測定値と、前記エネルギー貯蔵システムごとに対応付けられている設置位置で測定された参照値とが所定レベル以上乖離していることを検出し、前記検出に応じて、前記外部装置に前記現在位置情報を送信することを決定する監視装置。
２７．  ２０に記載の監視装置において、
前記送信決定手段は、前記エネルギー貯蔵システム、及び／又は、前記エネルギー貯蔵システムを監視する監視装置に取り付けられたカメラから取得した画像データに基づき、前記外部装置に前記現在位置情報を送信することを決定する監視装置。
２８．  ２０に記載の監視装置において、
前記送信決定手段は、予め定められた日時になったことの検出に応じて、前記外部装置に前記現在位置情報を送信することを決定する監視装置。
２９．  ２０に記載の監視装置において、
前記送信決定手段は、前記エネルギー貯蔵システムのＳＯＣ（State Of Charge）が所定の値になったことの検出に応じて、前記外部装置に前記現在位置情報を送信することを決定する監視装置。
３０．  ２０に記載の監視装置において、
前記送信決定手段は、前記監視装置からの指示に対する前記エネルギー貯蔵システムの応答時間が以前の前記応答時間から所定レベル以上変化したことの検出に応じて、前記外部装置に前記現在位置情報を送信することを決定する監視装置。
３１．  ２０に記載の監視装置において、
前記送信決定手段は、前記エネルギー貯蔵システムがエネルギーの貯蔵動作及び放出動作を行ってない待機状態の経過時間が所定値を超えたことの検出に応じて、前記外部装置に前記現在位置情報を送信することを決定する監視装置。
３２．  ２０に記載の監視装置において、
前記送信決定手段は、前記エネルギー貯蔵システムによる充放電電力の周波数が以前の前記周波数から変化したことの検出に応じて、前記外部装置に前記現在位置情報を送信することを決定する監視装置。
３３．  ２０に記載の監視装置において、
前記送信決定手段は、自然エネルギーで発電する発電装置の発電電力を充電するように設置された前記エネルギー貯蔵システムの充電電力量と、前記エネルギー貯蔵システムごとに対応付けられている設置位置の気象条件から推測される前記発電装置の発電電力量との間の矛盾の検出に応じて、前記外部装置に前記現在位置情報を送信することを決定する監視装置。
３４．  ２０に記載の監視装置において、
前記送信決定手段は、前記エネルギー貯蔵システムがエネルギーの貯蔵動作を行う時間帯、及び、エネルギーの放出動作を行う時間帯の傾向が以前の前記傾向から変化したことの検出に応じて、前記外部装置に前記現在位置情報を送信することを決定する監視装置。
３５．  ２０に記載の監視装置において、
前記送信決定手段は、前記エネルギー貯蔵システムのエネルギーの貯蔵量、及び／又は、放出量が以前の値から所定レベル以上変化したことの検出に応じて、前記外部装置に前記現在位置情報を送信することを決定する監視装置。
３６．  １から１９のいずれかに記載の判断装置と、２０から３５のいずれかに記載の監視装置と、を有する監視システム。
３７．  ３６に記載の監視システムにおいて、
エネルギー貯蔵システムをさらに有する監視システム。
３８．  コンピュータが、
エネルギー貯蔵システムの現在位置情報を取得する対象情報取得工程と、
前記エネルギー貯蔵システムごとに対応づけられている設置位置を取得する位置情報取得工程と、
前記エネルギー貯蔵システムの前記現在位置情報に基づき、前記エネルギー貯蔵システムが前記設置位置に設置されているか否かを判断する判断工程と、
を実行する判断方法。
３９．  コンピュータを、
エネルギー貯蔵システムの現在位置情報を取得する対象情報取得手段、
前記エネルギー貯蔵システムごとに対応づけられている設置位置を取得する位置情報取得手段、
前記エネルギー貯蔵システムの前記現在位置情報に基づき、前記エネルギー貯蔵システムが前記設置位置に設置されているか否かを判断する判断手段、
として機能させるプログラム。
４０．  コンピュータが、
予め定められた条件に基づき、エネルギー貯蔵システムの現在位置情報を外部装置に送信することを決定する送信決定工程と、
前記送信決定工程の決定に応じて、前記外部装置に前記エネルギー貯蔵システムの前記現在位置情報を送信する通信工程と、
を実行する監視方法。
４１．  コンピュータを、
予め定められた条件に基づき、エネルギー貯蔵システムの現在位置情報を外部装置に送信することを決定する送信決定手段、
前記送信決定手段の決定に応じて、前記外部装置に前記エネルギー貯蔵システムの前記現在位置情報を送信する通信手段、
として機能させるプログラム。
【０１７９】
この出願は、２０１６年７月１５日に出願された日本出願特願２０１６−１４０５６６号を基礎とする優先権を主張し、その開示の全てをここに取り込む。
【図１】
2018012082.tif 000003
【図２】
2018012082.tif 000004
【図３】
2018012082.tif 000005
【図４】
2018012082.tif 000006
【図５】
2018012082.tif 000007
【図６】
2018012082.tif 000008
【図７】
2018012082.tif 000009
【図８】
2018012082.tif 000010
【図９】
2018012082.tif 000011
【図１０】
2018012082.tif 000012
【図１１】
2018012082.tif 000013
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
エネルギー貯蔵システムの現在位置情報を取得する対象情報取得手段と、
前記エネルギー貯蔵システムごとに対応付けられている設置位置を取得する位置情報取得手段と、
前記エネルギー貯蔵システムの前記現在位置情報に基づき、前記エネルギー貯蔵システムが前記設置位置に設置されているか否かを判断する判断手段と、
前記エネルギー貯蔵システムを監視する監視装置に、前記エネルギー貯蔵システムの前記現在位置情報を要求する要求手段と、
を有し、
前記対象情報取得手段は、前記要求に応じて前記監視装置から送信されてきた前記エネルギー貯蔵システムの前記現在位置情報を取得し、
前記要求手段は、
前記エネルギー貯蔵システムによる充放電電力の周波数が以前の前記周波数から変化したことの検出に応じて、前記監視装置に前記要求を送信することを決定する要求決定手段と、
前記要求決定手段の決定に応じて、前記監視装置に前記要求を送信する要求送信手段とを備える判断装置。
【請求項２】
エネルギー貯蔵システムの現在位置情報を取得する対象情報取得手段と、
前記エネルギー貯蔵システムごとに対応付けられている設置位置を取得する位置情報取得手段と、
前記エネルギー貯蔵システムの前記現在位置情報に基づき、前記エネルギー貯蔵システムが前記設置位置に設置されているか否かを判断する判断手段と、
前記エネルギー貯蔵システムを監視する監視装置に、前記エネルギー貯蔵システムの前記現在位置情報を要求する要求手段と、
を有し、
前記対象情報取得手段は、前記要求に応じて前記監視装置から送信されてきた前記エネルギー貯蔵システムの前記現在位置情報を取得し、
前記要求手段は、
自然エネルギーで発電する発電装置の発電電力を充電するように設置された前記エネルギー貯蔵システムの充電電力量と、前記設置位置の気象条件から推測される前記発電装置の発電電力量との間の矛盾の検出に応じて、前記監視装置に前記要求を送信することを決定する要求決定手段と、
前記要求決定手段の決定に応じて、前記監視装置に前記要求を送信する要求送信手段とを備える判断装置。
【請求項３】
エネルギー貯蔵システムの現在位置情報を取得する対象情報取得手段と、
前記エネルギー貯蔵システムごとに対応付けられている設置位置を取得する位置情報取得手段と、
前記エネルギー貯蔵システムの前記現在位置情報に基づき、前記エネルギー貯蔵システムが前記設置位置に設置されているか否かを判断する判断手段と、
前記エネルギー貯蔵システムを監視する監視装置に、前記エネルギー貯蔵システムの前記現在位置情報を要求する要求手段と、
を有し、
前記対象情報取得手段は、前記要求に応じて前記監視装置から送信されてきた前記エネルギー貯蔵システムの前記現在位置情報を取得し、
前記要求手段は、
前記エネルギー貯蔵システムがエネルギーの貯蔵動作を行う時間帯、及び、エネルギーの放出動作を行う時間帯の傾向が以前の前記傾向から変化したことの検出に応じて、前記監視装置に前記要求を送信することを決定する要求決定手段と、
前記要求決定手段の決定に応じて、前記監視装置に前記要求を送信する要求送信手段と、
を備える判断装置。
【請求項４】
請求項１から３のいずれか１項に記載の判断装置において、
前記位置情報取得手段は、複数の前記エネルギー貯蔵システム各々に対応付けて前記設置位置を記憶する正規情報記憶手段、及び、自システムの前記設置位置を記憶する前記エネルギー貯蔵システムから、前記エネルギー貯蔵システムの前記設置位置を取得し、
前記判断手段は、前記現在位置情報、前記正規情報記憶手段から取得された前記設置位置、及び、前記エネルギー貯蔵システムから取得された前記設置位置に基づき、前記エネルギー貯蔵システムが前記設置位置に設置されているか否かを判断する判断装置。
【請求項５】
請求項１から４のいずれか１項に記載の判断装置において、
前記要求決定手段は、前記エネルギー貯蔵システム、及び／又は、前記監視装置に取り付けられたセンサから取得したセンサ情報に基づき、前記監視装置に前記要求を送信することを決定する判断装置。
【請求項６】
請求項５に記載の判断装置において、
前記要求決定手段は、前記センサ情報に基づき前記エネルギー貯蔵システムに所定レベル以上の振動があったことを検出し、前記検出に応じて、前記監視装置に前記要求を送信することを決定する判断装置。
【請求項７】
請求項５に記載の判断装置において、
前記要求決定手段は、前記センサ情報に基づき前記エネルギー貯蔵システムに備えられた開閉部材が開かれたことを検出し、前記検出に応じて、前記監視装置に前記要求を送信することを決定する判断装置。
【請求項８】
請求項５に記載の判断装置において、
前記要求決定手段は、前記センサ情報に基づき前記エネルギー貯蔵システムが備える複数の構成要素の接続状態が解除されたことを検出し、前記検出に応じて、前記監視装置に前記要求を送信することを決定する判断装置。
【請求項９】
請求項５に記載の判断装置において、
前記要求決定手段は、前記センサ情報に基づき前記エネルギー貯蔵システムと前記監視装置との接続状態が解除されたことを検出し、前記検出に応じて、前記監視装置に前記要求を送信することを決定する判断装置。
【請求項１０】
請求項５に記載の判断装置において、
前記要求決定手段は、前記センサ情報で示される測定値と、前記設置位置で測定された参照値とが所定レベル以上乖離していることを検出し、前記検出に応じて、前記監視装置に前記要求を送信することを決定する判断装置。
【請求項１１】
請求項１から１０のいずれか１項に記載の判断装置において、
前記要求決定手段は、前記エネルギー貯蔵システム、及び／又は、前記エネルギー貯蔵システムを監視する監視装置に取り付けられたカメラから取得した画像データに基づき、前記監視装置に前記要求を送信することを決定する判断装置。
【請求項１２】
請求項１から１１のいずれか１項に記載の判断装置において、
前記要求決定手段は、予め定められた日時になったことの検出に応じて、前記監視装置に前記要求を送信することを決定する判断装置。
【請求項１３】
請求項１から１２のいずれか１項に記載の判断装置において、
前記要求決定手段は、前記エネルギー貯蔵システムのＳＯＣ（State Of Charge）が所定の値になったことの検出に応じて、前記監視装置に前記要求を送信することを決定する判断装置。
【請求項１４】
請求項１から１３のいずれか１項に記載の判断装置において、
前記要求決定手段は、前記判断装置からの指示に対する前記エネルギー貯蔵システムの応答時間が以前の前記応答時間から所定レベル以上変化したことの検出に応じて、前記監視装置に前記要求を送信することを決定する判断装置。
【請求項１５】
請求項１から１４のいずれか１項に記載の判断装置において、
前記要求決定手段は、前記エネルギー貯蔵システムがエネルギーの貯蔵動作及び放出動作を行ってない待機状態の経過時間が所定値を超えたことの検出に応じて、前記監視装置に前記要求を送信することを決定する判断装置。
【請求項１６】
請求項１から１５のいずれか１項に記載の判断装置において、
前記要求決定手段は、前記エネルギー貯蔵システムの所定時間内のエネルギーの積算貯蔵量、及び／又は、積算放出量が以前の値から所定レベル以上変化したことの検出に応じて、前記監視装置に前記要求を送信することを決定する判断装置。
【請求項１７】
予め定められた条件に基づき、エネルギー貯蔵システムの現在位置情報を外部装置に送信することを決定する送信決定手段と、
前記送信決定手段の決定に応じて、前記外部装置に前記エネルギー貯蔵システムの前記現在位置情報を送信する通信手段と、
を有し、
前記送信決定手段は、前記エネルギー貯蔵システムによる充放電電力の周波数が以前の前記周波数から変化したことの検出に応じて、前記外部装置に前記現在位置情報を送信することを決定する監視装置。
【請求項１８】
予め定められた条件に基づき、エネルギー貯蔵システムの現在位置情報を外部装置に送信することを決定する送信決定手段と、
前記送信決定手段の決定に応じて、前記外部装置に前記エネルギー貯蔵システムの前記現在位置情報を送信する通信手段と、
を有し、
前記送信決定手段は、自然エネルギーで発電する発電装置の発電電力を充電するように設置された前記エネルギー貯蔵システムの充電電力量と、前記エネルギー貯蔵システムごとに対応付けられている設置位置の気象条件から推測される前記発電装置の発電電力量との間の矛盾の検出に応じて、前記外部装置に前記現在位置情報を送信することを決定する監視装置。
【請求項１９】
予め定められた条件に基づき、エネルギー貯蔵システムの現在位置情報を外部装置に送信することを決定する送信決定手段と、
前記送信決定手段の決定に応じて、前記外部装置に前記エネルギー貯蔵システムの前記現在位置情報を送信する通信手段と、
を有し、
前記送信決定手段は、前記エネルギー貯蔵システムがエネルギーの貯蔵動作を行う時間帯、及び、エネルギーの放出動作を行う時間帯の傾向が以前の前記傾向から変化したことの検出に応じて、前記外部装置に前記現在位置情報を送信することを決定する監視装置。
【請求項２０】
請求項１７から１９のいずれか１項に記載の監視装置において、
前記送信決定手段は、前記エネルギー貯蔵システム、及び／又は、前記エネルギー貯蔵システムを監視する監視装置に取り付けられたセンサから取得したセンサ情報に基づき、前記外部装置に前記エネルギー貯蔵システムの前記現在位置情報を送信することを決定する監視装置。
【請求項２１】
請求項２０に記載の監視装置において、
前記送信決定手段は、前記センサ情報に基づき前記エネルギー貯蔵システムに所定レベル以上の振動があったことを検出し、前記検出に応じて、前記外部装置に前記現在位置情報を送信することを決定する監視装置。
【請求項２２】
請求項２０に記載の監視装置において、
前記送信決定手段は、前記センサ情報に基づき前記エネルギー貯蔵システムに備えられた開閉部材が開かれたことを検出し、前記検出に応じて、前記外部装置に前記現在位置情報を送信することを決定する監視装置。
【請求項２３】
請求項２０に記載の監視装置において、
前記送信決定手段は、前記センサ情報に基づき前記エネルギー貯蔵システムが備える複数の構成要素の接続状態が解除されたことを検出し、前記検出に応じて、前記外部装置に前記現在位置情報を送信することを決定する監視装置。
【請求項２４】
請求項２０に記載の監視装置において、
前記送信決定手段は、前記センサ情報に基づき前記エネルギー貯蔵システムと前記監視装置との接続状態が解除されたことを検出し、前記検出に応じて、前記外部装置に前記現在位置情報を送信することを決定する監視装置。
【請求項２５】
請求項２０に記載の監視装置において、
前記送信決定手段は、前記センサ情報で示される測定値と、前記エネルギー貯蔵システムごとに対応付けられている設置位置で測定された参照値とが所定レベル以上乖離していることを検出し、前記検出に応じて、前記外部装置に前記現在位置情報を送信することを決定する監視装置。
【請求項２６】
請求項１から１６のいずれか１項に記載の判断装置と、
請求項１７から２５のいずれか１項に記載の監視装置と、
を有する監視システム。
【請求項２７】
請求項２６に記載の監視システムにおいて、
エネルギー貯蔵システムをさらに有する監視システム。
【請求項２８】
コンピュータが、
エネルギー貯蔵システムの現在位置情報を取得する対象情報取得工程と、
前記エネルギー貯蔵システムごとに対応付けられている設置位置を取得する位置情報取得工程と、
前記エネルギー貯蔵システムの前記現在位置情報に基づき、前記エネルギー貯蔵システムが前記設置位置に設置されているか否かを判断する判断工程と、
前記エネルギー貯蔵システムを監視する監視装置に、前記エネルギー貯蔵システムの前記現在位置情報を要求する要求工程と、
を実行し、
前記対象情報取得工程では、前記要求に応じて前記監視装置から送信されてきた前記エネルギー貯蔵システムの前記現在位置情報を取得し、
前記要求工程は、
前記エネルギー貯蔵システムによる充放電電力の周波数が以前の前記周波数から変化したことの検出に応じて、前記監視装置に前記要求を送信することを決定する要求決定工程と、
前記要求決定工程での決定に応じて、前記監視装置に前記要求を送信する要求送信工程とを備える判断方法。
【請求項２９】
コンピュータが、
エネルギー貯蔵システムの現在位置情報を取得する対象情報取得工程と、
前記エネルギー貯蔵システムごとに対応付けられている設置位置を取得する位置情報取得工程と、
前記エネルギー貯蔵システムの前記現在位置情報に基づき、前記エネルギー貯蔵システムが前記設置位置に設置されているか否かを判断する判断工程と、
前記エネルギー貯蔵システムを監視する監視装置に、前記エネルギー貯蔵システムの前記現在位置情報を要求する要求工程と、
を実行し、
前記対象情報取得工程では、前記要求に応じて前記監視装置から送信されてきた前記エネルギー貯蔵システムの前記現在位置情報を取得し、
前記要求工程は、
自然エネルギーで発電する発電装置の発電電力を充電するように設置された前記エネルギー貯蔵システムの充電電力量と、前記設置位置の気象条件から推測される前記発電装置の発電電力量との間の矛盾の検出に応じて、前記監視装置に前記要求を送信することを決定する要求決定工程と、
前記要求決定工程での決定に応じて、前記監視装置に前記要求を送信する要求送信工程と、
を備える判断方法。
【請求項３０】
コンピュータが、
エネルギー貯蔵システムの現在位置情報を取得する対象情報取得工程と、
前記エネルギー貯蔵システムごとに対応付けられている設置位置を取得する位置情報取得工程と、
前記エネルギー貯蔵システムの前記現在位置情報に基づき、前記エネルギー貯蔵システムが前記設置位置に設置されているか否かを判断する判断工程と、
前記エネルギー貯蔵システムを監視する監視装置に、前記エネルギー貯蔵システムの前記現在位置情報を要求する要求工程と、
を実行し、
前記対象情報取得工程では、前記要求に応じて前記監視装置から送信されてきた前記エネルギー貯蔵システムの前記現在位置情報を取得し、
前記要求工程は、
前記エネルギー貯蔵システムがエネルギーの貯蔵動作を行う時間帯、及び、エネルギーの放出動作を行う時間帯の傾向が以前の前記傾向から変化したことの検出に応じて、前記監視装置に前記要求を送信することを決定する要求決定工程と、
前記要求決定工程での決定に応じて、前記監視装置に前記要求を送信する要求送信工程とを備える判断方法。
【請求項３１】
コンピュータが、
予め定められた条件に基づき、エネルギー貯蔵システムの現在位置情報を外部装置に送信することを決定する送信決定工程と、
前記送信決定工程の決定に応じて、前記外部装置に前記エネルギー貯蔵システムの前記現在位置情報を送信する通信工程と、
を実行し、
前記送信決定工程では、前記エネルギー貯蔵システムによる充放電電力の周波数が以前の前記周波数から変化したことの検出に応じて、前記外部装置に前記現在位置情報を送信することを決定する監視方法。
【請求項３２】
コンピュータが、
予め定められた条件に基づき、エネルギー貯蔵システムの現在位置情報を外部装置に送信することを決定する送信決定工程と、
前記送信決定工程の決定に応じて、前記外部装置に前記エネルギー貯蔵システムの前記現在位置情報を送信する通信工程と、
を実行し、
前記送信決定工程では、自然エネルギーで発電する発電装置の発電電力を充電するように設置された前記エネルギー貯蔵システムの充電電力量と、前記エネルギー貯蔵システムごとに対応付けられている設置位置の気象条件から推測される前記発電装置の発電電力量との間の矛盾の検出に応じて、前記外部装置に前記現在位置情報を送信することを決定する監視方法。
【請求項３３】
コンピュータが、
予め定められた条件に基づき、エネルギー貯蔵システムの現在位置情報を外部装置に送信することを決定する送信決定工程と、
前記送信決定工程の決定に応じて、前記外部装置に前記エネルギー貯蔵システムの前記現在位置情報を送信する通信工程と、
を実行し、
前記送信決定工程では、前記エネルギー貯蔵システムがエネルギーの貯蔵動作を行う時間帯、及び、エネルギーの放出動作を行う時間帯の傾向が以前の前記傾向から変化したことの検出に応じて、前記外部装置に前記現在位置情報を送信することを決定する監視方法。
【手続補正２】
【補正対象書類名】明細書
【補正対象項目名】０００７
【補正方法】変更
【補正の内容】
【０００７】
本発明によれば、
エネルギー貯蔵システムの現在位置情報を取得する対象情報取得手段と、
前記エネルギー貯蔵システムごとに対応付けられている設置位置を取得する位置情報取得手段と、
前記エネルギー貯蔵システムの前記現在位置情報に基づき、前記エネルギー貯蔵システムが前記設置位置に設置されているか否かを判断する判断手段と、
前記エネルギー貯蔵システムを監視する監視装置に、前記エネルギー貯蔵システムの前記現在位置情報を要求する要求手段と、
を有し、
前記対象情報取得手段は、前記要求に応じて前記監視装置から送信されてきた前記エネルギー貯蔵システムの前記現在位置情報を取得し、
前記要求手段は、
前記エネルギー貯蔵システムによる充放電電力の周波数が以前の前記周波数から変化したことの検出に応じて、前記監視装置に前記要求を送信することを決定する要求決定手段と、
前記要求決定手段の決定に応じて、前記監視装置に前記要求を送信する要求送信手段とを備える判断装置が提供される。
【手続補正３】
【補正対象書類名】明細書
【補正対象項目名】０００８
【補正方法】変更
【補正の内容】
【０００８】
また、本発明によれば、
予め定められた条件に基づき、エネルギー貯蔵システムの現在位置情報を外部装置に送信することを決定する送信決定手段と、
前記送信決定手段の決定に応じて、前記外部装置に前記エネルギー貯蔵システムの前記現在位置情報を送信する通信手段と、
を有し、
前記送信決定手段は、前記エネルギー貯蔵システムによる充放電電力の周波数が以前の前記周波数から変化したことの検出に応じて、前記外部装置に前記現在位置情報を送信することを決定する監視装置が提供される。
【手続補正４】
【補正対象書類名】明細書
【補正対象項目名】００１０
【補正方法】変更
【補正の内容】
【００１０】
また、本発明によれば、
コンピュータが、
エネルギー貯蔵システムの現在位置情報を取得する対象情報取得工程と、
前記エネルギー貯蔵システムごとに対応付けられている設置位置を取得する位置情報取得工程と、
前記エネルギー貯蔵システムの前記現在位置情報に基づき、前記エネルギー貯蔵システムが前記設置位置に設置されているか否かを判断する判断工程と、
前記エネルギー貯蔵システムを監視する監視装置に、前記エネルギー貯蔵システムの前記現在位置情報を要求する要求工程と、
を実行し、
前記対象情報取得工程では、前記要求に応じて前記監視装置から送信されてきた前記エネルギー貯蔵システムの前記現在位置情報を取得し、
前記要求工程は、
前記エネルギー貯蔵システムによる充放電電力の周波数が以前の前記周波数から変化したことの検出に応じて、前記監視装置に前記要求を送信することを決定する要求決定工程と、
前記要求決定工程での決定に応じて、前記監視装置に前記要求を送信する要求送信工程とを備える判断方法が提供される。
【手続補正５】
【補正対象書類名】明細書
【補正対象項目名】００１１
【補正方法】変更
【補正の内容】
【００１１】
また、本発明によれば、
コンピュータを、
エネルギー貯蔵システムの現在位置情報を取得する対象情報取得手段、
前記エネルギー貯蔵システムごとに対応付けられている設置位置を取得する位置情報取得手段、
前記エネルギー貯蔵システムの前記現在位置情報に基づき、前記エネルギー貯蔵システムが前記設置位置に設置されているか否かを判断する判断手段、
前記エネルギー貯蔵システムを監視する監視装置に、前記エネルギー貯蔵システムの前記現在位置情報を要求する要求手段、
として機能させ、
前記対象情報取得手段は、前記要求に応じて前記監視装置から送信されてきた前記エネルギー貯蔵システムの前記現在位置情報を取得し、
前記要求手段は、
前記エネルギー貯蔵システムによる充放電電力の周波数が以前の前記周波数から変化したことの検出に応じて、前記監視装置に前記要求を送信することを決定する要求決定手段と、
前記要求決定手段の決定に応じて、前記監視装置に前記要求を送信する要求送信手段とを備えるプログラムが提供される。
【手続補正６】
【補正対象書類名】明細書
【補正対象項目名】００１２
【補正方法】変更
【補正の内容】
【００１２】
また、本発明によれば、
コンピュータが、
予め定められた条件に基づき、エネルギー貯蔵システムの現在位置情報を外部装置に送信することを決定する送信決定工程と、
前記送信決定工程の決定に応じて、前記外部装置に前記エネルギー貯蔵システムの前記現在位置情報を送信する通信工程と、
を実行し、
前記送信決定工程では、前記エネルギー貯蔵システムによる充放電電力の周波数が以前の前記周波数から変化したことの検出に応じて、前記外部装置に前記現在位置情報を送信することを決定する監視方法が提供される。
【手続補正７】
【補正対象書類名】明細書
【補正対象項目名】００１３
【補正方法】変更
【補正の内容】
【００１３】
また、本発明によれば、
コンピュータを、
予め定められた条件に基づき、エネルギー貯蔵システムの現在位置情報を外部装置に送信することを決定する送信決定手段、
前記送信決定手段の決定に応じて、前記外部装置に前記エネルギー貯蔵システムの前記現在位置情報を送信する通信手段、
として機能させ、
前記送信決定手段は、前記エネルギー貯蔵システムによる充放電電力の周波数が以前の前記周波数から変化したことの検出に応じて、前記外部装置に前記現在位置情報を送信することを決定するプログラムが提供される。
【国際調査報告】
2018012082.tif 000014
2018012082.tif 000015
2018012082.tif 000016
2018012082.tif 000017